(57)【要約】血液検査を組み合わせたダイエット計画を管理し得る、ダイエット計画管理装置、ダイエット計画管理システム、ダイエット計画管理方法、及びプログラムを提供する。対象者の身体情報を取得する身体情報取得部、対象者の血液検査項目値を取得する血液検査項目値取得部、ダイエット実施前の第一身体情報に対応する第一血液検査項目と、目標の第二身体情報に対応する第二血液検査項目値との関係に基づいて第一身体情報から第二身体情報へ変え、一回以上の血液検査を実施するダイエット計画を作成するダイエット計画作成部、及び血液検査から得られる第三血液検査項目値に基づきダイエット計画を監視するダイエット計画監視部を備える。
2019188799.tif 000002
【特許請求の範囲】
【請求項１】
対象者の体重、ＢＭＩ値、及び体脂肪率の少なくともいずれかを含む前記対象者の身体情報を取得する身体情報取得部と、
前記対象者の血液検査項目値を取得する血液検査項目値取得部と、
前記対象者のダイエット実施前の前記身体情報である第一身体情報に対応する第一血液検査項目値と、前記対象者の目標とする前記身体情報である第二身体情報に対応する第二血液検査項目値との関係に基づいて、前記対象者の身体情報を前記第一身体情報から前記第二身体情報へ変え、且つ一回以上の血液検査を実施するダイエット計画を作成するダイエット計画作成部と、
前記血液検査項目値取得部を用いて取得され、前記血液検査の結果として得られる第三血液検査項目値に基づいて、前記ダイエット計画を監視するダイエット計画監視部と、
を備えたダイエット計画管理装置。
【請求項２】
前記ダイエット計画作成部は、一回以上の前記身体情報の測定を実施する前記ダイエット計画を作成し、
ダイエット計画監視部は、前記身体情報の測定の結果として得られる第三身体情報に基づいて、前記ダイエット計画を監視する請求項１に記載のダイエット計画管理装置。
【請求項３】
前記身体情報の測定から得られた前記第三身体情報を記憶する身体情報記憶部を備えた請求項２に記載のダイエット計画管理装置。
【請求項４】
前記身体情報取得部は、前記第二身体情報を取得し、
前記ダイエット計画作成部は、前記取得した前記第二身体情報を用いて前記ダイエット計画を作成する請求項１から３のいずれか一項に記載のダイエット計画管理装置。
【請求項５】
前記ダイエット計画作成部は、規定の前記第二身体情報を用いて前記ダイエット計画を作成する請求項１から３のいずれか一項に記載のダイエット計画管理装置。
【請求項６】
前記ダイエット計画作成部は、前記ダイエット計画を実施する実施期間、前記第三身体情報の測定頻度、及び前記血液検査の実施頻度の少なくともいずれかを決定する請求項２又は３に記載のダイエット計画管理装置。
【請求項７】
前記第三身体情報、及び前記第三血液検査項目値の少なくともいずれかを解析して、前記ダイエット計画の進捗状況を表す進捗状況情報を作成する解析部を備えた請求項２、３又は６に記載のダイエット計画管理装置。
【請求項８】
前記進捗状況情報を出力する進捗状況情報出力部を備えた請求項７に記載のダイエット計画管理装置。
【請求項９】
前記解析部は、前記進捗状況情報に基づいて前記ダイエット計画の変更提案を表す変更提案情報を生成する請求項７又は８に記載のダイエット計画管理装置。
【請求項１０】
前記変更提案情報を出力する変更提案情報出力部を備えた請求項９に記載のダイエット計画管理装置。
【請求項１１】
前記血液検査の実施頻度に基づいて前記血液検査に用いられる血液検査キットを前記対象者へ送付する血液検査キット送付情報を、血液検査キットの送付元へ送信する送付情報出力部を備えた請求項６から１０のいずれか一項に記載のダイエット計画管理装置。
【請求項１２】
前記ダイエット計画監視部は、第三身体情報の入力頻度に基づく前記第三身体情報の入力が実施されない場合に、前記第三身体情報の入力を催促する催促情報を作成する請求項６から１１のいずれか一項に記載のダイエット計画管理装置。
【請求項１３】
前記催促情報を出力する催促情報出力部を備えた請求項１２に記載のダイエット計画管理装置。
【請求項１４】
前記ダイエット計画作成部は、腸内フローラ検査の結果を併用して、前記ダイエット計画を作成する請求項１から１３のいずれか一項に記載のダイエット計画管理装置。
【請求項１５】
前記ダイエット計画作成部は、遺伝子検査の結果を併用して、前記ダイエット計画を作成する請求項１から１４のいずれか一項に記載のダイエット計画管理装置。
【請求項１６】
前記血液検査項目値取得部は、前記第一血液検査項目値、前記第二血液検査項目値、及び前記第三血液検査項目値として、血糖、ＨｂＡ１ｃ、ＨＤＬコレステロール、ＬＤＬコレステロール、中性脂肪、ＡＳＴ、ＡＬＴ、γ−ＧＰＴ、ＡＬＢ、ＡＬＰ、及びｅ−ＧＦＲの少なくともいずれかの項目値を取得する請求項１から１５のいずれか一項に記載のダイエット計画管理装置。
【請求項１７】
ネットワークと接続可能に構成されたサーバ装置を備えたダイエット計画管理システムであって、
前記サーバ装置は、
対象者の体重、ＢＭＩ値、及び体脂肪率の少なくともいずれかを含む前記対象者の身体情報を取得する身体情報取得部と、
前記対象者の血液検査項目値を取得する血液検査項目値取得部と、
前記対象者のダイエット実施前の前記身体情報である第一身体情報に対応する第一血液検査項目値と、前記対象者の目標とする前記身体情報である第二身体情報に対応する第二血液検査項目値との関係に基づいて、前記対象者の身体情報を前記第一身体情報から前記第二身体情報へ変え、且つ一回以上の血液検査を実施するダイエット計画を作成するダイエット計画作成部と、
前記血液検査項目値取得部を用いて取得され、前記血液検査の結果として得られる第三血液検査項目値に基づいて、前記ダイエット計画を監視するダイエット計画監視部と、
を備えたダイエット計画管理システム。
【請求項１８】
前記ネットワークを介して前記サーバ装置と通信可能に接続される身体情報記憶装置を備え、
前記身体情報記憶装置は、前記身体情報の測定から得られた前記身体情報が記憶される請求項１７に記載のダイエット計画管理システム。
【請求項１９】
前記ネットワークを介して前記サーバ装置と通信可能に接続される血液検査項目値記憶装置を備え、
前記血液検査項目値記憶装置は、前記身体情報と関連付けされた前記血液検査項目値が記憶される請求項１７又は１８に記載のダイエット計画管理システム。
【請求項２０】
前記血液検査項目値記憶装置は、個人情報、趣味嗜好に関する趣味嗜好情報、生活環境に関する生活環境情報、及び家族に関する家族情報の少なくともいずれかと前記血液検査項目値との関係が記憶される請求項１９に記載のダイエット計画管理システム。
【請求項２１】
前記ネットワークを介して前記サーバ装置と通信可能に接続される端末装置を備え、
前記端末装置は、前記対象者のダイエット計画に関する情報を表示する表示部を備え、
前記表示部は、前記ダイエット計画に関する情報として、前記ダイエット計画を申請する申請画面、前記ダイエット計画の提案内容を表す提案画面、前記ダイエット計画の経過を表す経過画面の少なくともいずれかを表示させる請求項１７から２０のいずれか一項に記載のダイエット計画管理システム。
【請求項２２】
対象者の体重、ＢＭＩ値、及び体脂肪率の少なくともいずれかを含む前記対象者の身体情報を取得する身体情報取得工程と、
前記対象者の血液検査項目値を取得する血液検査項目値取得工程と、
前記対象者のダイエット実施前の前記身体情報である第一身体情報に対応する第一血液検査項目値と、前記対象者の目標とする前記身体情報である第二身体情報に対応する第二血液検査項目値との関係に基づいて、前記対象者の身体情報を前記第一身体情報から前記第二身体情報へ変え、且つ一回以上の血液検査を実施するダイエット計画を作成するダイエット計画作成工程と、
前記血液検査項目値取得工程において取得され、前記血液検査の結果として得られる第三血液検査項目値に基づいて、前記ダイエット計画を監視するダイエット計画監視工程と、
を含むダイエット計画管理方法。
【請求項２３】
コンピュータに、
対象者の体重、ＢＭＩ値、及び体脂肪率の少なくともいずれかを含む前記対象者の身体情報を取得する身体情報取得機能、
前記対象者の血液検査項目値を取得する血液検査項目値取得機能、
前記対象者のダイエット実施前の前記身体情報である第一身体情報に対応する第一血液検査項目値と、前記対象者の目標とする前記身体情報である第二身体情報に対応する第二血液検査項目値との関係に基づいて、前記対象者の身体情報を前記第一身体情報から前記第二身体情報へ変え、且つ一回以上の血液検査を実施するダイエット計画を作成するダイエット計画作成機能、及び
前記血液検査項目値取得機能を用いて取得され、前記血液検査の結果として得られる第三血液検査項目値に基づいて、前記ダイエット計画を監視するダイエット計画監視機能を実現させるプログラム。
【請求項２４】
非一時的かつコンピュータ読取可能な記録媒体であって、前記記録媒体に格納された指令がコンピュータによって読み取られた場合に、
対象者の体重、ＢＭＩ値、及び体脂肪率の少なくともいずれかを含む前記対象者の身体情報を取得する身体情報取得機能、
前記対象者の血液検査項目値を取得する血液検査項目値取得機能、
前記対象者のダイエット実施前の前記身体情報である第一身体情報に対応する第一血液検査項目値と、前記対象者の目標とする前記身体情報である第二身体情報に対応する第二血液検査項目値との関係に基づいて、前記対象者の身体情報を前記第一身体情報から前記第二身体情報へ変え、且つ一回以上の血液検査を実施するダイエット計画を作成するダイエット計画作成機能、及び
前記血液検査項目値取得機能を用いて取得され、前記血液検査の結果として得られる第三血液検査項目値に基づいて、前記ダイエット計画を監視するダイエット計画監視機能をコンピュータに実現させる記録媒体。
【発明の詳細な説明】
【技術分野】
【０００１】
本発明はダイエット計画管理装置、ダイエット計画管理システム、ダイエット計画管理方法、及びプログラムに係り、特にダイエット計画の管理に関する。
【背景技術】
【０００２】
世界の肥満人口は２０１３年に２１億人に達している。また、世界の肥満人口は１９８０年と比較して２．５倍に増加している。肥満は脳血管疾患、心疾患、及び２型糖尿病などの生活習慣病の罹患リスクが高くなることが知られている。【０００３】
インターネット回線を通じて日々の体重などの情報入力と、管理システムを使用した管理を用いたダイエットプログラムが実用化されている。【０００４】
また、検体として唾液を用いた遺伝子検査に基づき、個人特有の遺伝子情報を特定して個人の太り方を分類し、個人の太り方の分類に合わせたサプリメントを提供する、オーダーメードの遺伝子ダイエットプログラムが知られている。なお、個人特有の遺伝子情報を表す用語として、一塩基多型を表す英語表記Single Nucleotide Polymorphismsの省略語ＳＮＰｓが用いられる場合がある。【０００５】
個人特有の遺伝子情報を特定する際に、遺伝子検査キットを用いるシステムが知られている。検査希望者は、遺伝子検査キットを購入し、遺伝子検査キットを用いて検体を採取し、採取した検体を遺伝子検査機関へ送付する。検査希望者は、遺伝子検査機関から遺伝子検査結果を受け取ることが可能である。【０００６】
特許文献１は、利用者の複数の遺伝子多型情報に基づいて、利用者の体質に合った健康支援情報を提供する健康支援情報提供装置が記載されている。同文献に記載の健康支援情報提供装置は、ＤＮＡ検査を用いて利用者の肥満遺伝子の遺伝子多型を特定し、特定された遺伝子多型情報に応じた健康支援情報を決定する。健康支援情報は、食事に関する情報、運動に関する情報、及びサプリメント等の栄養補助食品に関する情報のいずれかが含まれる。なお、ＤＮＡはデオキシリボ核酸を表すdeoxyribonucleic acidの省略語である。【０００７】
特許文献２は、健康促進プログラム情報提供装置が記載されている。同文献に記載の健康促進プログラム情報提供装置は、健康促進プログラムの提供条件として血圧値を規定して、提供条件に応じて高血圧用の健康促進プログラムを提供している。
【先行技術文献】
【特許文献】
【０００８】
【特許文献１】特開２００７−０３４８４５号公報
【特許文献２】特開２００６−２１５６６２号公報
【発明の概要】
【発明が解決しようとする課題】
【０００９】
ダイエットの効果を把握する指標として、体重、ＢＭＩ値、及び体脂肪率等が挙げられる。体重、ＢＭＩ値、及び体脂肪率等を日常的に測定し、測定結果に基づいてダイエットの効果を把握し得る。ＢＭＩとは体格指数を表すBody Mass Indexの省略語である。【００１０】
ダイエットの目的として、生活習慣病の罹患リスク低減が挙げられる。例えば、脳血管疾患のリスクは、血液検査におけるコレステロール値等を用いて把握し得る。また、２型糖尿病のリスクは、血液検査における血糖値、及びＨｂＡ１ｃ値等を用いて把握し得る。なお、ＨｂＡ１ｃはグリコヘモグロビンを表す。【００１１】
しかしながら、ダイエットの効果を把握するために体重等を日常的に測定したとしても、生活習慣病の罹患リスクが下がったか否かを、体重等の測定結果から直接的に把握することは困難である。【００１２】
特許文献１に記載の発明は、遺伝子多型情報に基づいて利用者の体質に合った健康支援情報の提供が可能であるものの、特許文献１に記載の発明は、利用者が食事、及び運動等の対策を行った際の、ダイエットの経過の把握、及びダイエットの効果の把握が困難である。【００１３】
特許文献２に記載の発明は、血圧値に応じて高血圧用の健康促進プログラムの提供の案内、及び提供停止の案内が可能であるものの、ダイエットの経過の把握、及びダイエットの効果の把握が困難である。【００１４】
本発明はこのような事情に鑑みてなされたもので、血液検査を組み合わせたダイエット計画を管理し得る、ダイエット計画管理装置、ダイエット計画管理システム、ダイエット計画管理方法、及びプログラムを提供することを目的とする。
【課題を解決するための手段】
【００１５】
上記目的を達成するために、次の発明態様を提供する。【００１６】
第１態様に係るダイエット計画管理装置は、対象者の体重、ＢＭＩ値、及び体脂肪率の少なくともいずれかを含む対象者の身体情報を取得する身体情報取得部と、対象者の血液検査項目値を取得する血液検査項目値取得部と、対象者のダイエット実施前の身体情報である第一身体情報に対応する第一血液検査項目値と、対象者の目標とする身体情報である第二身体情報に対応する第二血液検査項目値との関係に基づいて、対象者の身体情報を第一身体情報から第二身体情報へ変え、且つ一回以上の血液検査を実施するダイエット計画を作成するダイエット計画作成部と、血液検査項目値取得部を用いて取得され、血液検査の結果として得られる第三血液検査項目値に基づいて、ダイエット計画を監視するダイエット計画監視部と、を備えたダイエット計画管理装置である。【００１７】
第１態様によれば、一回以上の血液検査を含むダイエット計画を作成する。一回以上の血液検査から得られる第三血液検査項目値に基づいてダイエット計画を管理する。これにより、血液検査を組み合わせたダイエット計画の管理が可能である。【００１８】
第一身体情報は、対象者ごとの身体情報が記憶される身体情報記憶部から取得してもよい。身体情報記憶部は、ダイエット計画管理装置とデータ通信可能に接続されてもよい。【００１９】
第一血液検査項目値、及び第二血液検査項目値は、身体情報と関連付けされた血液検査項目値が記憶される血液検査項目値記憶部から取得してもよい。血液検査項目値記憶部は、ダイエット計画管理装置とデータ通信可能に接続されてもよい。【００２０】
第１態様に係るダイエット計画管理装置は、１つ以上のプロセッサと、１つ以上のメモリを備えたダイエット計画管理装置であって、プロセッサは、対象者の体重、ＢＭＩ値、及び体脂肪率の少なくともいずれかを含む対象者の身体情報である身体情報を取得し、ダイエット実施前の第一身体情報に対応する第一血液検査項目値、及び目標とする第二身体情報に対応する第二血液検査項目値を取得し、第一血液検査項目値と第二血液検査項目値との関係に基づいて、対象者の身体情報を第一身体情報から第二身体情報へ変え、且つ一回以上の血液検査を実施するダイエット計画を作成し、血液検査の結果として取得した第三血液検査項目値に基づいて、ダイエット計画を監視し、メモリは、各処理におけるデータを記憶するダイエット計画管理装置として機能し得る。【００２１】
第２態様は、第１態様のダイエット計画管理装置において、ダイエット計画作成部は、一回以上の身体情報の測定を実施するダイエット計画を作成し、ダイエット計画監視部は、身体情報の測定の結果として得られる第三身体情報に基づいて、ダイエット計画を監視する構成としてもよい。【００２２】
第２態様によれば、一回以上の身体情報の測定を実施する。これにより、身体情報の測定結果から得られた第三身体情報を用いたダイエット計画の管理が可能である。【００２３】
第３態様は、第２態様のダイエット計画管理装置において、身体情報の測定から得られた第三身体情報を記憶する身体情報記憶部を備えた構成としてもよい。【００２４】
第３態様によれば、身体情報記憶部から読み出した第三身体情報を用いたダイエット計画の管理が可能である。【００２５】
身体情報記憶部は、一以上の記憶素子を適用可能である。身体情報記憶部は、一つの記憶素子の一部領域を適用してもよい。【００２６】
第４態様は、第１態様から第３態様のいずれか一態様のダイエット計画管理装置において、身体情報取得部は、第二身体情報を取得し、ダイエット計画作成部は、取得した第二身体情報を用いてダイエット計画を作成する構成としてもよい。【００２７】
第４態様によれば、取得した第二身体情報を用いたダイエット計画の作成が可能である。【００２８】
身体情報記憶部は、第二身体情報を取得する第二身体情報取得部を備えてもよい。【００２９】
第５態様は、第１態様から第３態様のいずれか一態様のダイエット計画管理装置において、ダイエット計画作成部は、規定の第二身体情報を用いてダイエット計画を作成する構成としてもよい。【００３０】
第５態様によれば、規定の第二身体情報を用いたダイエット計画の作成が可能である。【００３１】
規定の第二身体情報の例として、ダイエット計画に規定された第二身体情報が挙げられる。規定の第二身体情報を記憶する第二身体情報記憶部を備え、第二身体情報記憶部から規定の第二身体情報を読み出してもよい。【００３２】
第６態様は、第２態様又は第３態様のダイエット計画管理装置において、ダイエット計画作成部は、ダイエット計画を実施する実施期間、第三身体情報の測定頻度、及び血液検査の実施頻度の少なくともいずれかを決定する構成としてもよい。【００３３】
第６態様によれば、ダイエット計画の実施期間、第三身体情報の測定頻度、及び血液検査の実施頻度の少なくともいずれかを含むダイエット計画の作成が可能である。【００３４】
ダイエット計画の実施期間、第三身体情報の測定頻度、及び血液検査の実施頻度をセットで規定したダイエット計画を複数準備しておく。複数のダイエット計画の中から一つのダイエット計画を選択する選択情報を取得するダイエット計画選択情報取得部を備えてもよい。【００３５】
第７態様は、第２態様、第３態様又は第６態様のダイエット計画管理装置において、第三身体情報、及び第三血液検査項目値の少なくともいずれかを解析して、ダイエット計画の進捗状況を表す進捗状況情報を作成する解析部を備えた構成としてもよい。【００３６】
第７態様によれば、第三身体情報、及び第三血液検査項目値の少なくともいずれかの解析結果に基づいて、ダイエット計画の進捗状況を表す進捗状況情報を作成可能である。【００３７】
第８態様は、第７態様のダイエット計画管理装置において、進捗状況情報を出力する進捗状況情報出力部を備えた構成としてもよい。【００３８】
第８態様によれば、進捗状況情報に基づくダイエット計画の進捗状況を把握し得る。【００３９】
進捗状況情報は、ダイエット計画管理装置と通信可能に接続される端末装置を用いて取得してもよい。【００４０】
進捗状況情報は、血液検査項目値の達成度が含まれていてもよい。血液検査項目値の達成度と、身体情報の達成度との両者が含まれていてもよい。【００４１】
第９態様は、第７態様又は第８態様のダイエット計画管理装置において、解析部は、進捗状況情報に基づいてダイエット計画の変更提案を表す変更提案情報を生成する構成としてもよい。【００４２】
第９態様によれば、進捗状況情報に基づくダイエット計画の変更提案の作成が可能である。【００４３】
第１０態様は、第９態様のダイエット計画管理装置において、変更提案情報を出力する変更提案情報出力部を備えた構成としてもよい。【００４４】
第１０態様によれば、変更提案情報に基づいて、ダイエット計画の変更提案を把握し得る。【００４５】
変更提案情報は、ダイエット計画管理装置と通信可能に接続される端末装置を用いて取得してもよい。端末装置は、ダイエット計画を変更するか否かを表す選択情報をダイエット計画管理装置へ送信してもよい。【００４６】
第１１態様は、第６態様から第１０態様のいずれか一態様のダイエット計画管理装置において、血液検査の実施頻度に基づいて血液検査に用いられる血液検査キットを対象者へ送付する血液検査キット送付情報を、血液検査キットの送付元へ送信する送付情報出力部を備えた構成としてもよい。【００４７】
第１１態様によれば、血液検査の実施頻度に基づく血液検査キットの送付が可能である。【００４８】
血液検査キット送付情報は、ダイエット計画管理装置から血液検査キットの送付元へ直接送信されてもよいし、間接的に送信されてもよい。【００４９】
第１２態様は、第６態様から第１１態様のいずれか一態様のダイエット計画管理装置において、ダイエット計画監視部は、第三身体情報の入力頻度に基づく第三身体情報の入力が実施されない場合に、第三身体情報の入力を催促する催促情報を作成する構成としてもよい。【００５０】
第１２態様によれば、第三身体情報の入力が遅延している場合に、第三身体情報の入力を催促する催促情報を作成し得る。【００５１】
第１３態様は、第１２態様のダイエット計画管理装置において、催促情報を出力する催促情報出力部を備えた構成としてもよい。【００５２】
第１３態様によれば、催促情報に基づいて、第三身体情報の入力の遅延を把握し得る。【００５３】
催促情報は、ダイエット計画管理装置と通信可能に接続される端末装置を用いて取得してもよい。【００５４】
第１４態様は、第１態様から第１２態様のいずれか一態様のダイエット計画管理装置において、ダイエット計画作成部は、腸内フローラ検査の結果を併用して、ダイエット計画を作成する構成としてもよい。【００５５】
第１４態様によれば、腸内フローラ検査の結果を併用したダイエット計画の作成が可能である。【００５６】
第１５態様は、第１態様から第１４態様のいずれか一態様のダイエット計画管理装置において、ダイエット計画作成部は、遺伝子検査の結果を併用して、ダイエット計画を作成する構成としてもよい。【００５７】
第１５態様によれば、遺伝子検査の結果を併用したダイエット計画の作成が可能である。【００５８】
第１６態様は、第１態様から第１５態様のいずれか一態様のダイエット計画管理装置において、血液検査項目値取得部は、第一血液検査項目値、第二血液検査項目値、及び第三血液検査項目値として、血糖、ＨｂＡ１ｃ、ＨＤＬコレステロール、ＬＤＬコレステロール、中性脂肪、ＡＳＴ、ＡＬＴ、γ−ＧＰＴ、ＡＬＢ、ＡＬＰ、及びｅ−ＧＦＲの少なくともいずれかの項目値を取得する構成としてもよい。【００５９】
第１６態様によれば、血糖等の第三血液検査項目値を用いたダイエット計画の管理が可能である。【００６０】
第１７態様に係るダイエット計画管理システムは、ネットワークと接続可能に構成されたサーバ装置を備えたダイエット計画管理システムであって、サーバ装置は、対象者の体重、ＢＭＩ値、及び体脂肪率の少なくともいずれかを含む対象者の身体情報を取得する身体情報取得部と、対象者の血液検査項目値を取得する血液検査項目値取得部と、対象者のダイエット実施前の身体情報である第一身体情報に対応する第一血液検査項目値と、対象者の目標とする身体情報である第二身体情報に対応する第二血液検査項目値との関係に基づいて、対象者の身体情報を第一身体情報から第二身体情報へ変え、且つ一回以上の血液検査を実施するダイエット計画を作成するダイエット計画作成部と、血液検査項目値取得部を用いて取得され、血液検査の結果として得られる第三血液検査項目値に基づいて、ダイエット計画を監視するダイエット計画監視部と、を備えたダイエット計画管理システムである。【００６１】
第１７態様によれば、第１態様と同様の効果を得ることができる。【００６２】
第１７態様において、第２態様から第１６態様で特定した事項と同様の事項を適宜組み合わせることができる。その場合、ダイエット計画管理装置において特定される処理や機能を担う構成要素は、これに対応する処理や機能を担うダイエット計画管理システムの構成要素として把握することができる。【００６３】
第１８態様は、第１７態様のダイエット計画管理システムにおいて、ネットワークを介してサーバ装置と通信可能に接続される身体情報記憶装置を備え、身体情報記憶装置は、身体情報の測定から得られた身体情報が記憶される構成としてもよい。【００６４】
第１８態様によれば、サーバ装置と通信可能に接続される身体情報記憶部から読み出した第三身体情報を用いたダイエット計画の管理が可能である。【００６５】
第１９態様は、第１７態様又は第１８態様のダイエット計画管理システムにおいて、ネットワークを介してサーバ装置と通信可能に接続される血液検査項目値記憶装置を備え、血液検査項目値記憶装置は、身体情報と関連付けされた血液検査項目値が記憶される構成としてもよい。【００６６】
第１９態様によれば、ネットワークを介してサーバ装置と通信可能に接続される血液検査項目値記憶装置から、血液検査項目値の取得が可能である。【００６７】
第２０態様は、第１９態様のダイエット計画管理システムにおいて、血液検査項目値記憶装置は、個人情報、趣味嗜好に関する趣味嗜好情報、生活環境に関する生活環境情報、及び家族に関する家族情報の少なくともいずれかと血液検査項目値との関係が記憶される構成としてもよい。【００６８】
第２０態様によれば、個人情報等が反映された血液検査項目値の取得が可能である。【００６９】
第２１態様は、第１７態様から第２０態様のいずれか一態様のダイエット計画管理システムにおいて、ネットワークを介してサーバ装置と通信可能に接続される端末装置を備え、端末装置は、対象者のダイエット計画に関する情報を表示する表示部を備え、表示部は、ダイエット計画に関する情報として、ダイエット計画を申請する申請画面、ダイエット計画の提案内容を表す提案画面、ダイエット計画の経過を表す経過画面の少なくともいずれかを表示させる構成としてもよい。【００７０】
第２１態様によれば、端末装置の表示部に表示される対象者のダイエット計画に関する情報を把握し得る。【００７１】
表示部は、ダイエット計画を変更するか否かを選択する変更選択画面を表示してもよい。表示部は、身体情報を入力する身体情報入力画面を表示してもよい。【００７２】
第２２態様に係るダイエット計画管理方法は、対象者の体重、ＢＭＩ値、及び体脂肪率の少なくともいずれかを含む対象者の身体情報を取得する身体情報取得工程と、対象者の血液検査項目値を取得する血液検査項目値取得工程と、対象者のダイエット実施前の身体情報である第一身体情報に対応する第一血液検査項目値と、対象者の目標とする身体情報である第二身体情報に対応する第二血液検査項目値との関係に基づいて、対象者の身体情報を第一身体情報から第二身体情報へ変え、且つ一回以上の血液検査を実施するダイエット計画を作成するダイエット計画作成工程と、血液検査項目値取得工程において取得され、血液検査の結果として得られる第三血液検査項目値に基づいて、ダイエット計画を監視するダイエット計画監視工程と、を含むダイエット計画管理方法である。【００７３】
第２２態様によれば、第１態様と同様の効果を得ることができる。【００７４】
第２２態様において、第２態様から第１６態様、及び第１８態様から第２１態様で特定した事項と同様の事項を適宜組み合わせることができる。その場合、ダイエット計画管理装置、及びダイエット計画管理システムにおいて特定される処理や機能を担う構成要素は、これに対応する処理や機能を担うダイエット計画管理方法の構成要素として把握することができる。【００７５】
第２３態様に係るプログラムは、コンピュータに、対象者の体重、ＢＭＩ値、及び体脂肪率の少なくともいずれかを含む対象者の身体情報を取得する身体情報取得機能、対象者の血液検査項目値を取得する血液検査項目値取得機能、対象者のダイエット実施前の身体情報である第一身体情報に対応する第一血液検査項目値と、対象者の目標とする身体情報である第二身体情報に対応する第二血液検査項目値との関係に基づいて、対象者の身体情報を第一身体情報から第二身体情報へ変え、且つ一回以上の血液検査を実施するダイエット計画を作成するダイエット計画作成機能、及び血液検査項目値取得機能を用いて取得され、血液検査の結果として得られる第三血液検査項目値に基づいて、ダイエット計画を監視するダイエット計画監視機能を実現させるプログラムである。【００７６】
第２３態様によれば、第１態様と同様の効果を得ることができる。【００７７】
第２３態様において、第２態様から第１６態様、及び第１８態様から第２１態様で特定した事項と同様の事項を適宜組み合わせることができる。その場合、ダイエット計画管理装置、及びダイエット計画管理システムにおいて特定される処理や機能を担う構成要素は、これに対応する処理や機能を担うプログラムの構成要素として把握することができる。
【発明の効果】
【００７８】
本発明によれば、一回以上の血液検査を含むダイエット計画を作成する。一回以上の血液検査の結果を表す第三血液検査項目値に基づいてダイエット計画を管理する。これにより、血液検査を組み合わせたダイエット計画の管理が可能である。
【図面の簡単な説明】
【００７９】
【図１】図１は第一実施形態に係るダイエット計画管理システムの構成例を示すブロック図である。
【図２】図２はサーバ装置のハードウェアの構成例を示すブロック図である。
【図３】図３はサーバ装置の機能ブロック図である。
【図４】図４は個人情報データベースの構成例を示す模式図である。
【図５】図５はビッグデータベースを用いた血液検査項目値取得の概念図である。
【図６】図６は第一実施形態に係るダイエット計画管理方法の手順の流れを示すフローチャートである。
【図７】図７は図６に示したダイエット計画作成工程の手順の流れを示すフローチャートである。
【図８】図８は図６に示したダイエット計画監視工程の手順の流れを示すフローチャートである。
【図９】図９は図８に示した第三身体情報取得工程の手順の流れを示すフローチャートである。
【図１０】図１０は図８に示した第三血液検査項目値取得工程の手順の流れを示すフローチャートである。
【図１１】図１１はダイエット計画管理システムの構成要素間の情報の流れ、及び血液検査キットの流れを示すフローチャートである。
【図１２】図１２はダイエット申請画面の一例を示す説明図である。
【図１３】図１３はダイエット計画提案画面の一例を示す説明図である。
【図１４】図１４はダイエット受付画面の一例を示す説明図である。
【図１５】図１５は体重情報入力画面の一例を示す説明図である。
【図１６】図１６は経過報告入力画面の一例を示す説明図である。
【図１７】図１７は経過報告入力画面の他の例を示す説明図である。
【図１８】図１８は第一実施形態の変形例に係るダイエット計画管理システムの構成例を示すブロック図である。
【図１９】図１９は第二実施形態に係るダイエット計画管理方法における第三身体情報取得工程の手順の流れを示すフローチャートである。
【図２０】図２０は脱落懸念警告画面の一例を示す説明図である。
【図２１】図２１は第三実施形態に係るダイエット計画管理方法の手順の流れを示すフローチャートである。
【図２２】図２２はオプション検査申込画面の一例を示す説明図である。
【図２３】図２３はネットワークシステムが適用されるダイエット計画管理システムの構成例を示すブロック図である。
【発明を実施するための形態】
【００８０】
以下、添付図面に従って本発明の好ましい実施の形態について詳説する。本明細書では、同一の構成要素には同一の参照符号を付して、重複する説明は適宜省略することとする。
【００８１】
［第一実施形態］
〔ダイエット計画管理システムの全体構成〕
図１は第一実施形態ダイエット計画管理システムの構成例を示すブロック図である。図１に示したダイエット計画管理システム１０は、サーバ装置１２、及び管理者端末装置１４を備える。サーバ装置１２と管理者端末装置１４とは、データ通信が可能に接続される。なお、サーバ装置１２はダイエット計画管理装置の一例に相当する。
【００８２】
サーバ装置１２は、個人情報データベース２０、ビッグデータベース２２、対象者端末装置２４、検査者端末装置２６とデータ通信が可能に接続される。本実施形態におけるデータ通信は、公知の規格を適用可能である。個人情報データベース２０は、身体情報記憶部、及び身体情報記憶装置の一例に相当する。ビッグデータベース２２は、血液検査項目値記憶装置の一例に相当する。
【００８３】
対象者端末装置２４は、対象者が操作する端末装置である。対象者端末装置２４の例として、パーソナルコンピュータ等のコンピュータ、及びスマートフォン等の通信端末装置が挙げられる。
【００８４】
検査者端末装置２６は、図示しない検査機関に配置される端末装置であり、検査機関に所属する検査者が操作する端末装置である。検査者端末装置２６の例として、パーソナルコンピュータ等のコンピュータが挙げられる。
【００８５】
サーバ装置１２は、情報取得部３０、情報出力部３２、計画部３４、解析部３６、及び監視部３８を備える。サーバ装置１２は、図示しない記憶部を備える。情報取得部３０は、対象者端末装置２４を介して対象者が送信した対象者の身体情報等の各種情報を取得する。情報出力部３２は、ダイエット結果情報等の各種情報を出力する。
【００８６】
本明細書では、情報、及び信号等に関して、出力と送信とは相互に読み替えが可能であり、取得と受信とは相互に読み替えが可能である。
【００８７】
計画部３４は、対象者ごとのダイエット計画を作成する。計画部３４を用いた対象者ごとのダイエット計画作成の詳細は後述する。計画部３４は、ダイエット計画作成部の一例に相当する。
【００８８】
解析部３６は、対象者の身体情報、及び対象者の血液検査の結果に基づいてダイエット計画を解析する。解析部３６を用いたダイエット計画の解析の詳細は後述する。監視部３８は、対象者ごとに実施されるダイエット計画を監視する。監視部３８を用いたダイエット計画の監視の詳細は後述する。監視部３８は、ダイエット計画監視部の一例に相当する。
【００８９】
管理者端末装置１４は、ダイエット計画の管理機関に配置される端末装置である。管理者端末装置１４は、ダイエット計画の管理機関に所属する管理者が操作する端末装置である。管理者端末装置１４の例として、パーソナルコンピュータ等のコンピュータが挙げられる。
【００９０】
〔サーバ装置のハードウェア構成〕
図２はサーバ装置のハードウェアの構成例を示すブロック図である。サーバ装置１２は、制御部４０、メモリ４２、ストレージ装置４４、ネットワークコントローラ４６、及び電源装置４８を備える。制御部４０、メモリ４２、ストレージ装置４４、及びネットワークコントローラ４６は、バス５２を介してデータ通信が可能に接続される。
【００９１】
〈制御部〉
制御部４０は、サーバ装置１２の全体制御部、各種演算部、及び記憶制御部として機能する。制御部４０は、メモリ４２に具備されるＲＯＭ（read only memory）に記憶されているプログラムを実行する。
【００９２】
制御部４０は、ネットワークコントローラ４６を介して、外部の記憶装置からプログラムをダウンロードし、ダウンロードしたプログラムを実行する。外部の記憶装置は、ネットワーク５０を介してサーバ装置１２と通信可能に接続されていてもよい。
【００９３】
制御部４０は、メモリ４２に具備されるＲＡＭ（random access memory）を演算領域とし、各種プログラムと協働して、各種処理を実行する。これにより、サーバ装置１２の各種機能が実現される。
【００９４】
制御部４０は、ストレージ装置４４からのデータの読み出し、及びストレージ装置４４へのデータの書き込みを制御する。制御部４０は、ネットワークコントローラ４６を介して、外部の記憶装置から各種データを取得してもよい。制御部４０は、取得した各種データを用いて、演算等の各種処理を実行可能である。
【００９５】
制御部４０は、１つ又は２つ以上のプロセッサ（processor）が含まれてもよい。プロセッサの一例として、ＦＰＧＡ（Field Programmable Gate Array）、及びＰＬＤ（Programmable Logic Device）等が挙げられる。ＦＰＧＡ、及びＰＬＤは、製造後に回路構成の変更を可能とする。
【００９６】
プロセッサの他の例として、ＡＳＩＣ（Application Specific Integrated Circuit）が挙げられる。ＡＳＩＣは、特定の処理を実行させるために専用に設計された回路構成を備える。
【００９７】
制御部４０は、同じ種類の２以上のプロセッサを適用可能である。例えば、制御部４０は２つ以上のＦＰＧＡを用いてもよいし、２つのＰＬＤを用いてもよい。制御部４０は、異なる種類の２つ以上プロセッサを適用してもよい。例えば、制御部４０は１つ以上のＦＰＧＡと１つ以上のＡＳＩＣとを適用してもよい。
【００９８】
複数の制御部を備える場合、複数の制御部は１つのプロセッサを用いて構成してもよい。複数の制御部を１つのプロセッサで構成する一例として、１つ以上のＣＰＵ（Central Processing Unit）とソフトウェアとの組合せを用いて１つのプロセッサを構成し、このプロセッサが複数の制御部として機能する形態がある。ＣＰＵに代わり、又はＣＰＵと併用して、画像処理に特化したプロセッサであるＧＰＵ（Graphics Processing Unit）を適用してもよい。なお、ここでいうソフトウェアはプログラムと同義である。複数の制御部が１つのプロセッサを用いて構成される代表例として、クライアント装置、及びサーバ装置等のコンピュータが挙げられる。
【００９９】
複数の制御部を１つのプロセッサで構成する他の例として、複数の制御部を含むシステム全体の機能を１つのＩＣチップで実現するプロセッサを使用する形態が挙げられる。複数の制御部を含むシステム全体の機能を１つのＩＣチップで実現するプロセッサの代表例として、ＳｏＣ（System On Chip）が挙げられる。なお、ＩＣは、Integrated Circuitの省略語である。
【０１００】
このように、制御部４０は、ハードウェア的な構造として、各種のプロセッサを１つ以上用いて構成される。
【０１０１】
〈メモリ〉
メモリ４２は、図示しないＲＯＭ、及び図示しないＲＡＭを備える。ＲＯＭは、サーバ装置１２において実行される各種プログラムを記憶する。ＲＯＭは、各種プログラムの実行に用いられるパラメータ、及びファイル等を記憶する。ＲＡＭは、データの一時記憶領域、及び制御部４０のワーク領域等として機能する。
【０１０２】
〈ストレージ装置〉
ストレージ装置４４は、各種データを非一時的に記憶する。ストレージ装置４４は、サーバ装置１２の外部に外付けされてもよい。ストレージ装置４４に代わり、又はこれと併用して、大容量の半導体メモリ装置を適用してもよい。
【０１０３】
〈ネットワークコントローラ〉
ネットワークコントローラ４６は、図１に示した管理者端末装置１４、対象者端末装置２４、及び検査者端末装置２６などの外部装置との間のデータ通信を制御する。データ通信の制御は、データ通信のトラフィックの管理が含まれてもよい。
【０１０４】
〈電源装置〉
電源装置４８は、ＵＰＳ(Uninterruptible Power Supply)などの大容量型の電源装置が適用される。電源装置４８は停電等に起因して商用電源が遮断された際に、サーバ装置１２へ電源を供給する。なお、図２に示したサーバ装置１２のハードウェア構成は一例であり、適宜、追加、削除、及び変更が可能である。
【０１０５】
〔サーバ装置の機能〕
図３はサーバ装置の機能ブロック図である。図３に示したサーバ装置１２は、情報取得部３０、情報出力部３２、計画部３４、解析部３６、及び監視部３８を備える。以下、各部の詳細を説明する。
【０１０６】
〈情報取得部〉
情報取得部３０は、身体情報取得部３０Ａ、及び血液検査項目値取得部３０Ｂを備える。情報取得部３０は、各種情報を取得する各種情報取得部を備えてもよい。各種情報取得部の図示は省略する。
【０１０７】
身体情報取得部３０Ａ、及び血液検査項目値取得部３０Ｂは、個別のハードウェアを適用してもよいし、共通のハードウェアを適用してもよい。情報取得部３０のハードウェアの構成例として、信号入力素子、及び信号変換素子等を備える構成が挙げられる。
【０１０８】
身体情報取得部３０Ａは、対象者の体重、ＢＭ値、及び体脂肪率の少なくともいずれかを含む身体情報を取得する。身体情報取得部３０Ａは、図２に図示しない規定の図示しない記憶部へ身体情報を記憶する。
【０１０９】
身体情報取得部３０Ａは、図１に示した個人情報データベース２０から対象者に対応する身体情報を取得する。ダイエットの申請を希望する対象者がダイエットを申請する際、身体情報取得部３０Ａは、図１に示した対象者端末装置２４から出力された第一身体情報を取得可能である。第一身体情報は対象者のダイエット実施前の身体情報である。
【０１１０】
身体情報取得部３０Ａは、第二身体情報を取得する。第二身体情報は、対象者の目標とする身体情報である。第二身体情報の例として、目標体重、目標ＢＭＩ値、及び目標体脂肪率等が挙げられる。
【０１１１】
第一身体情報が体重の場合、身体情報取得部３０Ａは第二身体情報として対象者の目標体重を取得する。第一身体情報が目標ＢＭＩ値の場合、身体情報取得部３０Ａは対象者の目標ＢＭＩ値を取得する。第一身体情報が目標体脂肪率の場合、身体情報取得部３０Ａは対象者の目標体脂肪率を取得する。
【０１１２】
第二身体情報として、規定の第二身体情報を適用してもよい。例えば、身体情報が体重であり、ダイエット計画がマイナス５キログラムコースの場合、第一身体情報である初期体重からマイナス５キログラムが第二身体情報として取得される。
【０１１３】
身体情報取得部３０Ａは、第三身体情報を取得する。第三身体情報は、ダイエット計画実施中の身体情報の測定結果であり、個人情報データベース２０へ記憶される身体情報である。
【０１１４】
血液検査項目値取得部３０Ｂは、血液検査結果に含まれる、血糖、ＨｂＡ１ｃ、ＨＤＬコレステロール、ＬＤＬコレステロール、中性脂肪、ＡＳＴ、ＡＬＴ、γ−ＧＰＴ、ＡＬＢ、ＡＬＰ、及びｅ−ＧＦＲ等の血液検査項目値を取得する。血液検査項目値取得部３０Ｂは、取得した血液検査項目値を図示しない記憶部へ記憶する。
【０１１５】
血液検査項目値取得部３０Ｂは、図１に示した検査者端末装置２６から出力された血液検査項目値を取得する。血液検査項目値取得部３０Ｂは、図１に示した対象者端末装置２４から出力された血液検査項目値を取得してもよい。
【０１１６】
ＨｂＡ１ｃはグリコヘモグロビンを表す。ＨＤＬは高比重リポタンパクを表すhigh density lipoproteinの省略語である。ＬＤＬは低比重リポタンパクを表すlow density lipoproteinの省略語である。
【０１１７】
ＡＳＴはアスパラギン酸アミノトランスフェラーゼを表す。ＡＬＴはアラニンアミノトランスフェラーゼを表す。γ−ＧＰＴはガンマグルタミルトランスペプチダーゼを表す。ＡＬＢはアルブミンを表す。ＡＬＰはアルカリホスファターゼを表す。ｅ−ＧＦＲは推算糸球体濾過量を表す。
【０１１８】
対象者がダイエットを申請する際に対象者端末装置２４から送信される情報には、個人情報、既往歴、嗜好趣味、家族関係、運動、サプリメント、及び食事などの情報が含まれていてもよい。情報取得部３０はこれらの各種情報を取得可能である。
【０１１９】
〈情報出力部〉
情報出力部３２は、計画情報出力部３２Ａ、送付情報出力部３２Ｂ、及び監視情報出力部３２Ｃを備える。計画情報出力部３２Ａは、計画部３４を用いて作成されたダイエット計画を出力する。図１に示した対象者端末装置２４は、計画情報出力部３２Ａから出力されたダイエット計画を取得可能である。
【０１２０】
送付情報出力部３２Ｂは、計画部３４を用いて作成されたダイエット計画に基づいて、対象者の血液検査に使用される血液検査キットの送付先の情報を出力する。図１に示した検査者端末装置２６は、送付情報出力部３２Ｂから出力された血液検査キットの送付先の情報を取得する。
【０１２１】
図示しない血液検査機関は、血液検査キットの送付先の情報に基づいて、血液検査キットを送付する。血液検査キットの送付先の例として、対象者の自宅、及び指定された店舗等が挙げられる。ここでいう店舗は、薬局、薬局以外の商店、配送業者の営業所など、対象者が血液検査キットの受け取りが可能であればよい。なお、血液検査機関とは別の血液検査キット提供機関から、血液検査キットが送付されてもよい。
【０１２２】
監視情報出力部３２Ｃは、監視部３８を用いて実施されるダイエット計画の監視結果を表す監視情報を出力する。対象者端末装置２４は、監視情報出力部３２Ｃから出力された監視情報を取得可能である。
【０１２３】
監視情報の例として、ダイエット計画の進捗状況を表す進捗状況情報、ダイエット計画の変更提案を表す変更提案情報、第三身体情報の入力を催促する催促情報等が挙げられる。監視情報出力部３２Ｃは、進捗状況情報出力部の一例に相当する。監視情報出力部３２Ｃは、変更提案情報出力部の一例に相当する。監視情報出力部３２Ｃは、催促情報出力部の一例に相当する。
【０１２４】
〈計画部〉
計画部３４は、身体情報取得部３０Ａを介して身体情報を取得する。身体情報は、第一身体情報、第二身体情報、及び第三身体情報の総称である。計画部３４は、血液検査項目値取得部３０Ｂを介して血液検査項目値を取得する。計画部３４は、身体情報、及び血液検査項目値に基づいて、ダイエット計画を作成する。計画部３４は図示しない記憶部へ対象者ごとのダイエット計画を記憶する。
【０１２５】
ダイエット計画は、第二身体情報、実施期間、第三身体情報の測定頻度、血液検査の実施頻度の少なくともいずれかが規定される。第三身体情報の測定頻度は、第三身体情報の入力回数、及び第三身体情報の入力頻度を用いて規定し得る。血液検査の実施頻度は、血液検査の回数、及び血液検査の頻度を用いて規定し得る。
【０１２６】
第三身体情報の入力回数第三身体情報の入力頻度は、一以上の第三身体情報の入力日として規定してもよい。血液検査の回数、及び血液検査の頻度は、二以上の血液検査日として規定してもよい。
【０１２７】
計画部３４は、計画情報出力部３２Ａを介して、ダイエット計画を対象者端末装置２４へ出力する。計画部３４は、送付情報出力部３２Ｂを介して、対象者ごとのダイエット計画に応じた血液検査キットの送付情報を血液検査キットの送付元へ出力する。なお、血液検査キットの送付情報は、血液検査キット送付情報に相当する。
【０１２８】
〈解析部〉
解析部３６は、身体情報取得部３０Ａを用いて取得した第三身体情報、及び血液検査項目値取得部３０Ｂを用いて取得した第三血液検査項目値を解析して、ダイエット計画の進捗状況を表す進捗状況情報を生成する。進捗状況情報の例として、計画よりも進んでいることを表す情報、計画どおりに進行していることを表す情報、及び計画よりも遅れていることを表す情報が挙げられる。
【０１２９】
解析部３６は、進捗状況情報に応じて、ダイエット計画の変更提案を表す変更提案情報を作成する。解析部３６を用いて生成された進捗状況情報、及び変更提案情報は、監視部３８へ出力される。
【０１３０】
〈監視部〉
監視部３８は、第三身体情報の取得状況、及び血液検査結果の取得状況の少なくともいずれかを用いて、ダイエット計画を監視する。監視部３８は、対象者が行う第三身体情報の入力の遅れが発生した場合、監視情報出力部３２Ｃを用いて警告情報を出力する。また、監視部３８は、対象者が行う血液検査に遅れが発生した場合、監視情報出力部３２Ｃを用いて警告情報を出力する。警告情報、及び警告情報の出力の詳細は後述する。
【０１３１】
〔個人情報データベースの構成例〕
図４は個人情報データベースの構成例を示す模式図である。個人情報データベース２０は、対象者ごとの第三身体情報が記憶される。個人情報データベース２０は、初期の身体情報である第一身体情報が記憶されてもよい。
【０１３２】
図４には、ダイエット前の体重、ＢＭＩ値、及び体脂肪率が第一身体情報として記憶され、且つ測定日ごと体重、ＢＭＩ値、及び体脂肪率が第三身体情報として記憶される場合を図示する。
【０１３３】
対象者は、対象者端末装置２４を用いて、定期的に測定された第三身体情報を個人情報データベース２０へ送信する。個人情報データベース２０に対象者の第一身体情報が記憶されている場合、サーバ装置１２は個人情報データベース２０から第一身体情報を読み出してもよい。
【０１３４】
個人情報データベース２０は、対象者端末装置２４から送信された対象者ごとの第三身体情報を記憶する。図４には、一週間おきに体重、ＢＭＩ、及び体脂肪率の測定値が入力される場合を図示する。対象者自身が測定可能であり、ダイエットの指標となり得る血圧等を第三身体情報に追加してもよい。
【０１３５】
個人情報データベース２０は、対象者の血液検査項目値を血液検査日と関連付けして記憶してもよい。個人情報データベース２０は、ダイエット申請前の対象者の血液検査項目値が記憶されてもよい。図４に示したアルファベットを用いた文字列は、対象者の氏名、及び個人番号等の対象者の識別情報を表す。
【０１３６】
〔ビッグデータベースを用いた血液検査項目値の取得例〕
図５はビッグデータベースを用いた血液検査項目値取得の概念図である。ビッグデータとは、従来のデータベース管理システムでは記録保管が困難な巨大データ群である。本実施形態では、対象者の第一身体情報に対応する第一血液検査項目値、及び第二身体情報に対応する第二血液検査項目値を読み出すことが可能なビッグデータが適用される。
【０１３７】
本実施形態に適用されるビッグデータは、個人情報、既往歴、年ごとの趣味嗜好情報、生活環境情報、家族情報、運動、サプリメントの摂取、及び食事等の情報をパラメータとしてもよい。個人情報の例として、生年月日、年齢、性別、出身地、親族の情報、及び性格等が挙げられる。
【０１３８】
既往歴として、病気履歴、通院履歴、入院履歴、及び手術履歴等が挙げられる。趣味嗜好の年ごとの情報の例として、喫煙の有無、及び飲酒の有無等が挙げられる。生活環境の例として、居住地、居住地の気候、居住地の地域性、通勤期間、通勤の手段、同居者の有無、友人が挙げられる。
【０１３９】
家族情報との例として、親族の病気履歴、及び遺伝に関する情報が挙げられる。運動の例として、運動の種類、一週間あたりの運動の回数、一回あたりの運動期間、運動の頻度等が挙げられる。
【０１４０】
サプリメントの摂取の例として、サプリメントの種類、サプリメントの摂取量、サプリメントの摂取頻度、サプリメントの摂取期間、及びサプリメントの摂取時刻等が挙げられる。食事の例として、一日あたりの摂取熱量、栄養バランス、一日あたりの回数、及び頻度等が挙げられる。
【０１４１】
サーバ装置１２は、ビッグデータベース２２を参照して、対象者の身体情報に対応する対象者の血液検査項目値を読み出す。例えば、対象者の初期の体重が７０キログラムであり、目標の体重が６０キログラムの場合、サーバ装置１２は、７０キログラムに対応する血液検査項目値、及び６０キログラムに対応する血液検査項目値をビッグデータベース２２から読み出す。
【０１４２】
すなわち、サーバ装置１２は、対象者の初期の血液検査項目値と、目標とする状態に対応する血液検査項目値とを取得し、両者の関係性をベースに、計画部３４を用いてダイエット計画を作成する。
【０１４３】
〔ダイエット計画管理方法の手順〕
〈全体フロー〉
図６は第一実施形態に係るダイエット計画管理方法の手順の流れを示すフローチャートである。対象者情報取得工程Ｓ１０では、図３に示した計画部３４は、身体情報取得部３０Ａを介して第一身体情報を取得する。
【０１４４】
また、対象者情報取得工程Ｓ１０では、計画部３４は、血液検査項目値取得部３０Ｂを介して、第一血液検査項目値を取得する。第一血液検査項目値は予め記憶されているものを読み出してもよいし、血液検査を実施して取得してもよい。対象者情報取得工程Ｓ１０の後に、ダイエット計画作成工程Ｓ１２へ進む。
【０１４５】
ダイエット計画作成工程Ｓ１２では、計画部３４は、第二身体情報を決定する。第二身体情報は、対象者端末装置２４から送信されたものでもよいし、規定のものでもよい。計画部３４は、第一身体情報、第二身体情報、第一血液検査項目値、及び第二血液検査項目値に基づいて、対象者のダイエット計画を作成する。ダイエット計画作成工程Ｓ１２の後に、ダイエット計画送信工程Ｓ１４へ進む。
【０１４６】
ダイエット計画送信工程Ｓ１４では、計画部３４は、計画情報出力部３２Ａを介して、ダイエット計画を対象者端末装置２４へ送信する。計画部３４は、ダイエット計画が作成されたことを表す情報を対象者端末装置２４へ送信してもよい。例えば、計画部３４は、電子メール、及びアラート等を用いてダイエット計画が作成されたことを表す情報を対象者端末装置２４へ送信可能である。
【０１４７】
計画部３４は、ダイエット計画が可視化された電子ファイルを対象者端末装置２４へ送信してもよい。ダイエット計画が可視化された電子ファイルは、対象者端末装置２４から送信されたダウンロード要求に応じて、対象者端末装置２４がダウンロードしてもよい。ダイエット計画送信工程Ｓ１４の後に、ダイエット計画承認判定工程Ｓ１６へ進む。
【０１４８】
ダイエット計画承認判定工程Ｓ１６では、監視部３８は、規定の期限日までに、対象者端末装置２４から送信されたダイエット計画を承認することを表す承認情報を取得したか否かを判定する。
【０１４９】
ダイエット計画承認判定工程Ｓ１６において、規定の期限日までに、監視部３８が承認情報を取得しない場合はＮｏ判定となる。Ｎｏ判定の場合、サーバ装置１２はダイエット計画管理方法を終了する。
【０１５０】
一方、ダイエット計画承認判定工程Ｓ１６において、規定の期限日までに、監視部３８が承認情報を取得した場合はＹｅｓ判定となる。Ｙｅｓ判定の場合は、料金支払判定工程Ｓ１８へ進む。
【０１５１】
料金支払判定工程Ｓ１８では、監視部３８は、規定の期限日までに、料金の支払がされたが否かを判定する。料金支払判定工程Ｓ１８において、規定の期限日までに、監視部３８が料金の支払を確認できない場合はＮｏ判定となる。Ｎｏ判定の場合、サーバ装置１２はダイエット計画管理方法を終了する。
【０１５２】
一方、規定の期限日までに、監視部３８が料金の支払を確認した場合はＹｅｓ判定となる。Ｙｅｓ判定の場合は、ダイエット計画登録工程Ｓ２０へ進む。ダイエット計画登録工程Ｓ２０では、監視部３８は、対象者と監視対象となるダイエット計画とを関連付けして登録する。ダイエット計画登録工程Ｓ２０の後に、ダイエット計画監視工程Ｓ２２へ進む。
【０１５３】
ダイエット計画監視工程Ｓ２２では、監視部３８は、登録されているダイエット計画に基づいて、ダイエット計画を監視する。ダイエット計画監視工程Ｓ２２の後に、監視部３８は、ダイエット計画管理方法を終了する。
【０１５４】
〈ダイエット計画作成工程の手順〉
図７は図６に示したダイエット計画作成工程の手順の流れを示すフローチャートである。ダイエット計画作成工程では、まず、第一身体情報取得工程Ｓ１００が実行される。第一身体情報取得工程Ｓ１００では、計画部３４は、第一身体情報を取得する。第一身体情報取得工程Ｓ１００の後に、第二身体情報決定工程Ｓ１０２へ進む。
【０１５５】
第二身体情報決定工程Ｓ１０２では、計画部３４は、第二身体情報を決定する。計画部３４は、対象者端末装置２４から送信された対象者が設定した第二身体情報を採用し得る。また、計画部３４は、規定の第二身体情報を採用し得る。
【０１５６】
例えば、ダイエット期間が６か月の場合は１０キログラムの減量、ダイエット期間が３か月の場合は５キログラムの減量といったように、ダイエット期間に応じて第二身体情報が規定されている場合がある。第二身体情報決定工程Ｓ１０２の後に、血液検査項目値取得工程Ｓ１０４へ進む。
【０１５７】
血液検査項目値取得工程Ｓ１０４では、計画部３４は、ビッグデータベース２２を参照して、第一血液検査項目値、及び第二血液検査項目値を取得する。
【０１５８】
例えば、第一身体情報が体重７０キログラムでの場合、体重が７０キログラムに対応する血液検査項目値を第一血液検査項目値として取得する。第二身体情報が体重６０キログラムの場合、体重が６０キログラムに対応する血液検査項目値を第二血液検査項目値として取得する。血液検査項目値取得工程Ｓ１０４の後に、第三身体情報入力条件決定工程Ｓ１０６へ進む。
【０１５９】
第三身体情報入力条件決定工程Ｓ１０６では、計画部３４は、第三身体情報入力条件として、第三身体情報の入力回数、及び第三身体情報の入力頻度を決定する。第三身体情報入力条件は、ダイエット期間から自動的に決定してもよい。例えば、ダイエット期間が６か月の場合、入力回数は２４回、入力頻度は週一回と決定し得る。なお、ここでいう第三身体情報の入力は、第三身体情報の測定と置き替えてもよい。
【０１６０】
第三身体情報入力条件は、対象者端末装置２４を介して対象者が入力した情報に基づいて決定してもよい。すなわち、計画部３４は、対象者端末装置２４を介して対象者が入力した第三身体情報の入力回数、及び第三身体情報の入力頻度を、第三身体情報入力条件として決定し得る。第三身体情報入力条件決定工程Ｓ１０６の後に、血液検査条件決定工程Ｓ１０８へ進む。
【０１６１】
血液検査条件決定工程Ｓ１０８では、計画部３４は、血液検査条件を決定する。血液検査条件は、血液検査の回数、及び血液検査の頻度が含まれる。血液検査の回数、及び血液検査の頻度は、血液検査実施日として決定してもよい。
【０１６２】
血液検査条件は、第三身体情報入力条件に準じて決定し得る。例えば、計画部３４は、ダイエット期間が６か月の場合、血液検査の回数は６回、血液検査の頻度を月一回と決定し得る。また、計画部３４は、対象者端末装置２４を介して対象者が入力した血液検査の回数、及び血液検査の頻度を、血液検査条件として決定し得る。血液検査条件決定工程Ｓ１０８の後に、関連条件決定工程Ｓ１１０へ進む。
【０１６３】
関連条件決定工程Ｓ１１０では、計画部３４は、食事条件、運動条件、及びサプリメントの摂取条件等の関連条件を決定する。食事条件の例として、一日あたりの摂取熱量、食事間の期間、栄養バランス、摂取禁止食物等が挙げられる。例えば、飲酒量は一日３５０ミリリットルのビールを一本、週に五日は飲酒可能、週に二日は飲酒禁止といった条件を食事条件として決定し得る。
【０１６４】
運動条件の例として、運動の頻度、一回の運動期間、及び消費熱量等が挙げられる。例えば、毎日３０分以上の徒歩を運動条件として決定し得る。サプリメントの例として、摂取するサプリメント、摂取量、及び摂取頻度等が挙げられる。関連条件決定工程Ｓ１１０の後に、計画部３４はダイエット計画作成工程を終了する。
【０１６５】
〈ダイエット計画監視工程の手順〉
図８は図６に示したダイエット計画監視工程の手順の流れを示すフローチャートである。ダイエット計画監視工程では、まず、ダイエット条件設定工程Ｓ２００が実行される。ダイエット条件設定工程Ｓ２００では、監視部３８は、図６に示したダイエット計画登録工程Ｓ２０において登録されたダイエット計画を読み出し、規定のダイエット条件を設定する。
【０１６６】
ダイエット条件設定工程Ｓ２００において設定されるダイエット条件は、第三身体情報入力条件、及び血液検査条件が含まれる。ダイエット条件設定工程Ｓ２００の後に、第三身体情報取得工程Ｓ２０２へ進む。
【０１６７】
第三身体情報取得工程Ｓ２０２では、監視部３８は、第三身体情報入力条件に応じて、個人情報データベース２０から対象者の最新の第三身体情報を取得する。最新の第三身体情報とは、個人情報データベース２０に最後に記憶された第三身体情報である。第三身体情報取得工程Ｓ２０２の後に、第三血液検査項目値取得工程Ｓ２０４へ進む。
【０１６８】
第三血液検査項目値取得工程Ｓ２０４では、監視部３８は、血液検査条件に応じて、血液検査結果が記憶されている記憶装置から対象者の最新の第三血液検査項目値を取得する。最新の第三血液検査項目値とは、最後に記憶された第三血液検査項目値である。
【０１６９】
第三血液検査項目値取得工程Ｓ２０４では、監視部３８は、血液検査の結果として得られる第三血液検査項目値を全て取得してもよいし、血液検査の結果として得られる第三血液検査項目値の一部を選択的に取得してもよい。第三血液検査項目値取得工程Ｓ２０４の後に、解析工程Ｓ２０６へ進む。
【０１７０】
解析工程Ｓ２０６では、解析部３６は、最新の第三身体情報、及び最新の第三血液検査項目値を用いて、ダイエット計画の解析を行う。例えば、解析部３６は第三身体情報が計画どおりに変化しているか否か、及び第三血液検査項目値が計画どおりに変化しているか否かを解析する。
【０１７１】
また、解析部３６は、第三身体情報、及び第三血液検査項目値の少なくともいずれかが計画どおりに変化していない場合に、ダイエット計画の変更が可能であるか否かを解析する。ダイエット計画の変更の例として、ダイエット期間の変更、及び第二身体情報の変更などが挙げられる。解析部３６を用いたダイエット計画の解析結果は、監視部３８へ送信される。解析工程Ｓ２０６の後に、経過情報送信工程Ｓ２０８へ進む。
【０１７２】
経過情報送信工程Ｓ２０８では、監視部３８は、監視情報出力部３２Ｃを介して、ダイエット計画の経過を表す経過情報、及びダイエット計画の結果を表す結果情報の少なくともいずれかを対象者端末装置２４へ送信する。
【０１７３】
対象者端末装置２４は、監視部３８から送信された経過情報、及び結果情報を受信することが可能である。経過情報送信工程Ｓ２０８では、監視部３８は経過情報、又は結果情報が記憶されたことを表す報知情報を対象者端末装置２４へ送信してもよい。
【０１７４】
報知情報を対象者端末装置２４が受信した場合、対象者は、対象者端末装置２４を用いて、経過情報、又は結果情報が記憶された記憶装置へアクセスして、経過情報、又は結果情報を取得してもよい。経過情報送信工程Ｓ２０８の後に、ダイエット計画継続判定工程Ｓ２１０へ進む。
【０１７５】
ダイエット計画継続判定工程Ｓ２１０では、監視部３８はダイエット計画を継続するか、又はダイエット計画を終了するか否かを表す継続確認情報を受信したか否かを判定する。
【０１７６】
すなわち、ダイエット計画の経過情報を取得した対象者は、対象者端末装置２４を用いて、ダイエット計画を継続するか、又はダイエット計画を終了するかを表す継続確認情報をサーバ装置１２へ送信可能である。
【０１７７】
ダイエット計画継続判定工程Ｓ２１０において、監視部３８がダイエット計画を終了することを表す継続確認情報を受信した場合はＮｏ判定となる。また、ダイエット計画に規定された回数の第三身体情報の取得、第三血液検査項目値の取得、及び解析が終了した場合もＮｏ判定となる。Ｎｏ判定の場合は終了情報送信工程Ｓ２１２へ進む。
【０１７８】
終了情報送信工程Ｓ２１２では、監視部３８はダイエット計画を終了することを表す終了情報を対象者端末装置２４へ送信する。終了情報送信工程Ｓ２１２の後に、監視部３８は、ダイエット計画監視工程を終了する。
【０１７９】
一方、ダイエット計画継続判定工程Ｓ２１０において、監視部３８がダイエット計画を継続することを表す継続確認情報を受信した場合はＹｅｓ判定となる。また、監視部３８が継続確認情報を受信しない場合もＹｅｓ判定となる。Ｙｅｓ判定の場合はダイエット計画修正判定工程Ｓ２１４へ進む。
【０１８０】
ダイエット計画修正判定工程Ｓ２１４では、監視部３８は、対象者端末装置２４から送信されたダイエット計画を修正することを表す修正情報を受信したか否かを判定する。すなわち、対象者がダイエット計画の継続を希望し、かつダイエット計画の変更を希望する場合、対象者は対象者端末装置２４を用いて、その旨を表す情報をサーバ装置１２へ送信可能である。
【０１８１】
ダイエット計画修正判定工程Ｓ２１４において、監視部３８が修正情報を受信していない場合はＮｏ判定となる。Ｎｏ判定の場合は第三身体情報取得工程Ｓ２０２へ進み、ダイエット計画継続判定工程Ｓ２１０においてＮｏ判定となるまで、第三身体情報取得工程Ｓ２０２からダイエット計画修正判定工程Ｓ２１４の各工程を実行する。
【０１８２】
一方、ダイエット計画修正判定工程Ｓ２１４において、監視部３８が修正情報を受信した場合はＹｅｓ判定となる。Ｙｅｓ判定の場合は、ダイエット計画修正工程Ｓ２１６へ進む。
【０１８３】
ダイエット計画修正工程Ｓ２１６では、計画部３４はダイエット計画を修正する。ダイエット計画の修正の例として、ダイエット期間の修正、及び第二身体情報の修正等が挙げられる。ダイエット計画修正工程Ｓ２１６の後に、修正計画送信工程Ｓ２１８へ進む。修正計画送信工程Ｓ２１８では、計画部３４は修正後のダイエット計画を対象者端末装置２４へ送信する。
【０１８４】
対象者は、対象者端末装置２４を用いて、サーバ装置１２から送信された修正後のダイエット計画を確認することが可能である。対象者は、対象者端末装置２４を用いて、修正後のダイエット計画を承認することを表す情報を、サーバ装置１２へ送信可能である。修正計画送信工程Ｓ２１８の後に、修正承認判定工程Ｓ２２０へ進む。
【０１８５】
修正承認判定工程Ｓ２２０では、監視部３８は、対象者端末装置２４からダイエット計画の修正を承認することを表す承認情報を受信したか否かを判定する。修正承認判定工程Ｓ２２０において、監視部３８が承認情報を規定期間内に受信していない場合、Ｎｏ判定となる。Ｎｏ判定の場合は、第三身体情報取得工程Ｓ２０２へ進み、ダイエット計画継続判定工程Ｓ２１０においてＮｏ判定となるまで、第三身体情報取得工程Ｓ２０２から修正承認判定工程Ｓ２２０の各工程を実行する。
【０１８６】
一方、修正承認判定工程Ｓ２２０において、監視部３８が承認情報を規定期間内に受信した場合、Ｙｅｓ判定となる。Ｙｅｓ判定の場合は、ダイエット条件設定工程Ｓ２００へ進み、修正後のダイエット計画に規定されたダイエット条件を設定する。
【０１８７】
以下、ダイエット計画継続判定工程Ｓ２１０においてＮｏ判定となるまで、ダイエット条件設定工程Ｓ２００からダイエット計画修正工程Ｓ２１６までの各工程が繰り返し実行される。
【０１８８】
〈第三身体情報取得工程の手順〉
図９は図８に示した第三身体情報取得工程の手順の流れを示すフローチャートである。体重情報取得工程では、まず、取得確認工程Ｓ３００が実行される。取得確認工程Ｓ３００では、監視部３８は、個人情報データベース２０から規定の取得頻度で第三身体情報を取得したか否かを判定する。すなわち、監視部３８は、第三身体情報が入力される日から次の第三身体情報が入力される日の前日までの期間に、対象者の第三身体情報が入力されたか否かを判定する。
【０１８９】
取得確認工程Ｓ３００において、第三身体情報が入力される日から次の第三身体情報が入力される日の前日までの期間に、第三身体情報が入力されていない場合はＮｏ判定である。Ｎｏ判定の場合は、催促情報送信工程Ｓ３０２へ進む。
【０１９０】
催促情報送信工程Ｓ３０２では、監視部３８は対象者端末装置２４へ第三身体情報の入力を催促することを表す催促情報を送信する。催促情報送信工程Ｓ３０２の後に、規定期間経過判定工程Ｓ３０４へ進む。
【０１９１】
規定期間経過判定工程Ｓ３０４では、監視部３８は、催促情報送信から規定期間内に第三身体情報を取得したか否かを判定する。規定期間経過判定工程Ｓ３０４において、規定期間内に第三身体情報を取得していない場合はＮｏ判定となる。Ｎｏ判定の場合は、遅延警告情報送信工程Ｓ３０６へ進む。
【０１９２】
遅延警告情報送信工程Ｓ３０６では、監視部３８は、対象者端末装置２４へ第三身体情報の入力が遅延していることを表す遅延警告情報を送信する。対象者端末装置２４は、監視部３８から送信された遅延警告情報を受信可能である。遅延警告情報送信工程Ｓ３０６の後に、監視部３８は第三身体情報取得工程を終了する。
【０１９３】
一方、規定期間経過判定工程Ｓ３０４において、催促情報送信から規定期間内に第三身体情報が取得された場合はＹｅｓ判定となる。Ｙｅｓ判定の場合は第三身体情報記憶工程Ｓ３０８へ進む。
【０１９４】
取得確認工程Ｓ３００において、第三身体情報が入力される日から次の第三身体情報が入力される日の前日までの期間に、第三身体情報が取得された場合は、Ｙｅｓ判定となる。Ｙｅｓ判定の場合は、第三身体情報記憶工程Ｓ３０８へ進む。
【０１９５】
第三身体情報記憶工程Ｓ３０８では、監視部３８は、個人情報データベース２０から取得した第三身体情報を記憶する。第三身体情報記憶工程Ｓ３０８の後に、返信工程Ｓ３１０へ進む。
【０１９６】
返信工程Ｓ３１０では、監視部３８は、第三身体情報が入力される日から次の第三身体情報が入力される日の前日までの期間に第三身体情報が入力されたことを表す返信情報を対象者端末装置２４へ送信する。返信工程Ｓ３１０の後に、監視部３８は第三身体情報取得工程を終了する。
【０１９７】
〈第三血液検査項目値取得工程の手順〉
図１０は図８に示した第三血液検査項目値取得工程の手順の流れを示すフローチャートである。第三血液検査項目値取得工程では、まず、送付回数確認工程Ｓ４００を実行する。送付回数確認工程Ｓ４００では、監視部３８は、血液検査キットの送付回数が規定回数未満であるか否かを判定する。血液検査キットの送付回数は血液検査回数と読み替えてもよい。
【０１９８】
送付回数確認工程Ｓ４００において、監視部３８が血液検査キットの送付回数が規定回数を超えていると判定した場合はＮｏ判定となる。Ｎｏ判定の場合、監視部３８は、第三血液検査項目値取得工程を終了する。
【０１９９】
一方、送付回数確認工程Ｓ４００において、監視部３８が血液検査キットの送付回数が規定回数以下と判定した場合はＹｅｓ判定となる。Ｙｅｓ判定の場合は、送付時期判定工程Ｓ４０２へ進む。
【０２００】
送付時期判定工程Ｓ４０２では、監視部３８は、血液検査キットの送付時期であるか否かを判定する。送付時期判定工程Ｓ４０２において、監視部３８が血液検査キットの送付時期でないと判定した場合はＮｏ判定となる。Ｎｏ判定の場合、監視部３８は、第三血液検査項目値取得工程を終了する。
【０２０１】
一方、送付時期判定工程Ｓ４０２において、監視部３８が血液検査キットの送付時期であると判定した場合はＹｅｓ判定となる。Ｙｅｓ判定の場合は、検査キット送付情報送信工程Ｓ４０４へ進む。
【０２０２】
検査キット送付情報送信工程Ｓ４０４では、計画部３４は、血液検査キットの送付情報を血液検査キットの送付元へ送信する。血液検査キットの送付元は、血液検査キットの送付情報に基づいて、規定の送付先へ血液検査キットを送付する。
【０２０３】
血液検査キットの送付元への血液検査キットの送付情報の送信は、血液検査機関を経由してもよいし、血液検査キットの販売元を経由してもよい。検査キット送付情報送信工程Ｓ４０４の後に、検査結果取得工程Ｓ４０６へ進む。
【０２０４】
検査結果取得工程Ｓ４０６では、血液検査項目値取得部３０Ｂは、血液検査結果を取得する。ここでいう血液検査結果には、少なくともダイエット計画の経過を解析する際に必要な第三血液検査項目値が含まれる。検査結果取得工程Ｓ４０６の後に、検査結果記憶工程Ｓ４０８へ進む。
【０２０５】
検査結果記憶工程Ｓ４０８では、血液検査項目値取得部３０Ｂは、血液検査結果を記憶する。検査結果記憶工程Ｓ４０８では、ダイエット計画の経過を解析する際に必要な第三血液検査項目値のみを記憶してもよい。検査結果記憶工程Ｓ４０８において、血液検査結果が記憶された後に、監視部３８は、血液検査項目値取得工程を終了する。
【０２０６】
図１０に示した血液検査項目値取得工程において、血液検査結果の取得が遅延している場合に、対象者端末装置２４、又は血液検査機関等へ血液検査の実施を催促する血液検査催促情報を送信してもよい。
【０２０７】
〈ダイエット計画管理システムの構成要素間の情報の流れ、及び血液検査キットの流れ〉
図１１はダイエット計画管理システムの構成要素間の情報の流れ、及び血液検査キットの流れを示すフローチャートである。なお、図１１に図示した符号２０は、図１に示した個人情報データベース２０を表す。また、符号２２は、図１に示したビッグデータベース２２を表す。
【０２０８】
申込工程Ｓ５００では、対象者端末装置２４からサーバ装置１２へダイエットの申込情報を送信する。受付工程Ｓ５０２では、サーバ装置１２は対象者端末装置２４から送信されたダイエットの申し込みを受け付ける。
【０２０９】
対象者情報取得工程Ｓ５０４では、ダイエットを申し込んだ対象者の情報を取得する。対象者情報取得工程Ｓ５０４は図６に示した対象者情報取得工程Ｓ１０に対応する。対象者情報取得工程Ｓ５０４では、サーバ装置１２は個人情報データベース２０から対象者の第一身体情報を取得する。個人情報データベース２０に対象者の第一身体情報が記憶されていない場合、対象者の第一身体情報は対象者端末装置２４から取得してもよい。
【０２１０】
ダイエット計画作成工程Ｓ５０６では、サーバ装置１２はビッグデータベース２２から送信された第二血液検査項目値を取得する。ダイエット計画作成工程Ｓ５０６では、第一血液検査項目値を取得する。対象者が血液検査結果を所持している場合、対象者端末装置２４から第一血液検査項目値を取得可能である。対象者が血液検査結果を所持していない場合、検査者端末装置２６から第一血液検査項目値を取得可能である。
【０２１１】
ダイエット計画作成工程Ｓ５０６では、第一身体情報、第二身体情報、第一血液検査項目値、及び第二血液検査項目値に基づいて、対象者のダイエット計画を作成する。ダイエット計画送信工程Ｓ５０８では、サーバ装置１２は対象者端末装置２４へダイエット計画を送信する。ダイエット計画送信工程Ｓ５０８は、図６に示したダイエット計画送信工程Ｓ１４に対応している。
【０２１２】
ダイエット計画受信工程Ｓ５１０では、対象者端末装置２４はサーバ装置１２から送信されたダイエット計画を受信する。ダイエット計画承認送信工程Ｓ５１２では、対象者端末装置２４からサーバ装置１２へダイエット計画を承認することを表す承認情報を送信する。
【０２１３】
ダイエット計画承認受信工程Ｓ５１４では、サーバ装置１２は対象者端末装置２４から送信される承認情報を受信する。ダイエット計画承認受信工程Ｓ５１４は、ダイエット計画承認判定工程Ｓ１６に対応している。
【０２１４】
登録工程Ｓ５１６では、サーバ装置１２は承認されたダイエット計画を登録する。登録工程Ｓ５１６は、図６に示したダイエット計画登録工程Ｓ２０に対応している。監視開始工程Ｓ５１８では、サーバ装置１２は、ダイエット計画の監視を開始する。監視開始工程Ｓ５１８は、図６に示したダイエット計画監視工程Ｓ２２の構成要素である。
【０２１５】
送付情報送信工程Ｓ５２０では、サーバ装置１２は、血液検査キットの送付情報を血液検査キットの送付元へ送信する。送付情報受信工程Ｓ５２２では、検査者端末装置２６はサーバ装置１２から送信された血液検査キットの送付情報を受信する。図１１に示す例では、血液検査キットの送付元は血液検査機関である。
【０２１６】
キット送付工程Ｓ５２４では、血液検査機関は対象者へ血液検査キットを送付する。キット取得工程Ｓ５２６では、対象者は血液検査機関から送付された血液検査キットを取得する。検体送付工程Ｓ５２８では、対象者は血液検査機関へ血液検査キットを用いて採取した対象者の検体である血液を送付する。
【０２１７】
検体回収工程Ｓ５３０では、血液検査機関は対象者から送付された対象者の検体を回収する。検査工程Ｓ５３２では、血液検査機関は対象者の検体を検査する。結果送信工程Ｓ５３４では、検査者端末装置２６はサーバ装置１２へ対象者の血液検査結果を送信する。
【０２１８】
結果受信工程Ｓ５３６では、サーバ装置１２は検査者端末装置２６から送信された対象者の血液検査結果を受信する。サーバ装置１２は血液検査結果取得に遅延が生じた場合に、対象者端末装置２４、及び検査者端末装置２６の少なくともいずれかに血液検査の実施を催促する催促情報を送信してもよい。
【０２１９】
第三身体情報送信工程Ｓ５３８では、対象者端末装置２４は個人情報データベース２０へダイエット計画に基づいて測定された第三身体情報を送信する。第三身体情報受信工程Ｓ５４０では、個人情報データベース２０は対象者端末装置２４から送信される第三身体情報を受信する。第三身体情報記憶工程Ｓ５４２では、個人情報データベース２０は受信した第三身体情報を記憶する。
【０２２０】
第三身体情報取得工程Ｓ５４４では、サーバ装置１２はダイエット計画に基づいて個人情報データベース２０から第三身体情報を取得する。第三身体情報取得工程Ｓ５４４は、図８に示した第三身体情報取得工程Ｓ２０２に対応している。
【０２２１】
催促情報送信工程Ｓ５４６では、サーバ装置１２は第三身体情報の測定、及び第三身体情報の個人情報データベース２０への送信を催促する催促情報を対象者端末装置２４へ送信する。催促情報送信工程Ｓ５４６は図９に示した催促情報送信工程Ｓ３０２に対応している。催促情報受信工程Ｓ５４８では、対象者端末装置２４はサーバ装置１２から送信された催促情報を受信する。
【０２２２】
〔ダイエット計画作成の具体例〕
次に、ダイエット計画作成の具体例を説明する。まず、図７に示した第一身体情報取得工程Ｓ１００において取得した第一身体情報のうち標準範囲を超えるものを抽出する。次に、血液検査項目値取得工程Ｓ１０４において取得した第一血液検査項目値のうち標準範囲を超える第一血液検査項目を抽出する。
【０２２３】
次に、第二身体情報を設定する。第一身体情報のうち標準範囲を超えるもの、第一血液検査項目値のうち標準範囲を超える血液検査項目を用いて、図１に示したビッグデータベース２２を参照して、ビッグデータベース２２から第二身体情報に対応する第二血液検査項目値を取得する。ビッグデータベース２２から取得する第二血液検査項目値は、少なくとも第一血液検査項目値において標準範囲を超える血液検査項目値が含まれていればよい。
【０２２４】
このようにして、目標とする身体情報である第二身体情報、及び目標とする血液検査項目値である第二血液検査項目値に基づいて、ダイエット計画が作成される。
【０２２５】
〔対象者端末装置における表示画面の例〕
対象者端末装置２４は、各種表示画面を表示可能な表示装置を備える。対象者端末装置２４がパーソナルコンピュータの場合、コンピュータ本体と接続されるモニタ装置を備える。対象者端末装置２４がスマートフォン等の携帯型通信機器の場合、液晶ディスプレイが携帯型通信機器の本体に具備される。表示装置は表示部の一例に相当する。
【０２２６】
〈申請画面〉
図１２は申請画面の一例を示す説明図である。図１２に示した申請画面１００は、氏名入力欄１０２、性別入力欄１０４、生年月日入力欄１０６、年齢入力欄１０８、身長入力欄１１０、体重入力欄１１２、ＢＭＩ値入力欄１１４、及び体脂肪率入力欄１１６が含まれる。
【０２２７】
なお、各入力欄は、プルダウンメニューを適用してもよい。図１２に示した申請画面１００は、ダイエット計画を作成する際に用いられる第一身体情報を対象者がサーバ装置１２へ送信する場合に適用される。
【０２２８】
また、申請画面１００は、血液検査結果有無選択ボタン１２０、第一希望コース選択ボタン１２２、第二希望コース選択ボタン１２４、第三希望コース選択ボタン１２６、及びキット送付先選択ボタン１２８、及びキット送付先入力欄１３０が含まれる。
【０２２９】
図１に示した対象者端末装置２４は、対象者がダイエットを申請する際に、申請画面１００を表示させる。対象者は、申請画面１００を参照して、キーボード、マウス、タッチパネル等の操作部材を用いて、ダイエットを申請する際に必要な情報を入力可能である。
【０２３０】
〈ダイエット計画提案画面〉
図１３はダイエット計画提案画面の一例を示す説明図である。図１３に示したダイエット計画提案画面１５０は、対象者情報表示欄１５２、血液検査結果有無表示欄１５４、希望コース表示欄１５６、血液検査キット送付先表示欄１５８、第一身体情報測定条件表示欄１６０、及び血液検査条件表示欄１６２が含まれる。
【０２３１】
対象者情報表示欄１５２は、対象者の氏名等の対象者情報が表示される。なお、対象者情報として図１１に図示したアルファベットは、対象者情報を表す文字、及び数値を表している。
【０２３２】
また、ダイエット計画提案画面１５０は、承認ボタン１６４、及び変更ボタン１６６が含まれる。ダイエット計画提案画面１５０に表示されたダイエット計画提案を承認し、対象者が承認ボタン１６４をクリックした場合、対象者端末装置２４からサーバ装置１２へダイエット計画提案の承認を表す承認情報が送信される。
【０２３３】
一方、ダイエット計画提案画面１５０に表示されたダイエット計画提案の変更を希望し、対象者が変更ボタン１６６をクリックした場合、対象者端末装置２４からサーバ装置１２へダイエット計画提案の変更を希望することを表す変更希望情報が送信される。
【０２３４】
ダイエット計画提案画面１５０は、第二身体情報、及び第二血液検査項目値が表示されてもよい。ダイエット計画提案画面１５０は、食事条件、及び運動条件等の関連条件が表示されてもよい。ダイエット計画提案画面１５０は、ダイエット計画の提案内容を表す提案画面の一例に相当する。
【０２３５】
〈ダイエット受付画面〉
図１４はダイエット受付画面の一例を示す説明図である。図１４に示したダイエット受付画面１８０は、サーバ装置１２から対象者端末装置２４へ送信されたダイエット計画を受け付けたことを表す受付完了情報１８２が含まれる。ダイエット受付画面１８０は、オーケーボタン１８４が含まれる。
【０２３６】
ダイエット受付画面１８０の受付完了情報１８２を見た対象者は、申請したダイエット計画の受付が完了したことを把握し得る。対象者がオーケーボタン１８４をクリックすることで、対象者がダイエット計画の受付完了を確認したことを表す受付確認情報が対象者端末装置２４からサーバ装置１２へ送信される。
【０２３７】
〈体重情報入力画面〉
図１５は体重情報入力画面の一例を示す説明図である。図１５には、第三身体情報として体重が適用される場合の体重情報入力画面２００を示した。なお、対象者名、日付として図１５に図示したアルファベットは、対象者名を表す文字、及び日付を表す数値を表している。
【０２３８】
図１５に示した体重情報入力画面２００は、対象者名表示欄２０２、及び体重入力欄２０４が含まれる。図１５には、週一回、計四回の体重測定から得られた体重情報を入力する四ヶ所の体重入力欄２０４が表示される。対象者は、対象者端末装置２４に接続される操作部材を用いて、体重測定ごとの測定値である体重情報の入力が可能である。
【０２３９】
また、体重情報入力画面２００は、オーケーボタン２０６が表示される。対象者がオーケーボタン２０６をクリックした場合、体重入力欄２０４に入力された体重情報が、対象者端末装置２４から個人情報データベース２０へ送信される。
【０２４０】
〈経過報告画面〉
図１６は経過報告入力画面の一例を示す説明図である。図１６に示した経過報告画面２２０は、対象者名表示欄２２２、血液検査項目値表示欄２２４、達成度表示欄２２６、コメント表示欄２２８、及びコース変更選択ボタン２３０が表示される。
【０２４１】
対象者名表示欄２２２は、対象者名が表示される。血液検査項目値表示欄２２４は、血液検査から得られた第三血液検査項目値が表示される。血液検査項目値表示欄２２４は、血液検査結果に含まれる全ての第三血液検査項目を表示させてもよいし、ダイエット計画を作成する際に用いられた第三血液検査項目のみを表示させてもよい。
【０２４２】
血液検査項目値表示欄２２４は、検査日ごとの第三血液検査項目値を表す一覧表を表示させてもよいし、検査日ごとの第三血液検査項目値を表すグラフを表示させてもよい。経過報告画面２２０は、測定日ごとの身体情報の測定値を表示させてもよい。なお、図１６では、血液検査項目値表示欄２２４の具体的な図示を省略する。
【０２４３】
達成度表示欄２２６はダイエット計画の達成度が表示される。図１６には、百分率で表される達成度が表示される場合を図示した。百分率で表される血液検査項目値の達成度の例として、現在の第三血液検査項目値から第二血液検査項目値を減算した値を、第二血液検査項目値で除算し、その値に１００を乗算した値が挙げられる。身体情報の達成度を算出し、血液検査項目値の達成度と、身体情報の達成度とを併記してもよい。
【０２４４】
コメント表示欄２２８は、ダイエット計画の経過に対するコメントが表示される。図１６には、ダイエット計画が順調に進行していることを表すコメントが表示される場合を図示した。
【０２４５】
コース変更選択ボタン２３０は、対象者がダイエットコースを変更するか否かを選択する際にクリックされる。対象者は、コース変更選択ボタン２３０を用いて、ダイエットコースを変更するか否かを選択し得る。
【０２４６】
図１７は経過報告入力画面の他の例を示す説明図である。図１７に示した経過報告画面２２０Ａは、図１６に示した経過報告画面２２０と比較して、達成度表示欄２２６に表示される達成度、及びコメント表示欄２２８に表示されるコメントの内容が相違している。すなわち、図１７に示した経過報告画面２２０Ａは、ダイエット計画が計画どおりに進行していない場合に、対象者端末装置２４の表示装置に表示される。
【０２４７】
経過報告画面２２０、及び経過報告画面２２０Ａは、ダイエット計画の経過を表す経過画面の一例に相当する。
【０２４８】
［第一実施形態の変形例］
図１８は第一実施形態の変形例に係るダイエット計画管理システムの構成例を示すブロック図である。図１８に示したダイエット計画管理システム１０Ａは、サーバ装置１２Ａが個人情報データベース２０Ａを備えている。その他は、図１に示したダイエット計画管理システム１０と同様であり、ここでの説明は省略する。
【０２４９】
［第一実施形態の応用例］
本実施形態では、ダイエットを希望する対象者の申請に応じてダイエット計画を作成する態様を例示したが、ダイエットの希望の有無に関わらず、血液検査の実施者を対象として、ダイエット計画を作成し、ダイエット計画を提案してもよい。
【０２５０】
全ての血液検査の実施者を対象としてダイエット計画を作成してもよいし、血液検査の実施者の一部を選択して、ダイエット計画を作成してもよい。例えば、血液検査申請書にアンケートを添付して、アンケートに回答した場合、及び身体情報を記載した場合などを選択してもよい。
【０２５１】
血液検査キットを用いて、定期的に、又は不定期に血液検査を実施する血液検査の実施者に対して、ダイエット計画を作成し、ダイエット計画を提案してもよい。
【０２５２】
［第一実施形態の作用効果］
第一実施形態に係るダイエット計画管理システム１０、サーバ装置１２、及びダイエット計画管理方法によれば、以下の作用効果を得ることが可能である。
【０２５３】
〔１〕
第一身体情報、第二身体情報、第一身体情報に対応する第一血液検査項目値、及び第二身体情報に対応する第二血液検査項目値を用いて、一回以上の身体情報の測定、及び一回以上の血液検査を含むダイエット計画を作成する。身体情報の測定から得られる第三身体情報、及び血液検査の結果から得られる第三血液検査項目値に基づいてダイエット計画を管理する。これにより、第三身体情報の測定に血液検査を組み合わせたダイエット計画の管理が可能である。
【０２５４】
〔２〕
生活習慣病の指標とし得る第三血液検査項目値を用いて、ダイエット計画の経過を把握し得る。これにより、ダイエット計画の目標が明確となり、ダイエット計画を実施するモチベーションの向上、及びダイエット計画実施の継続性向上が見込まれる。
【０２５５】
例えば、体重の減少が計画どおりでない場合でも、血糖値、及びＨｂＡ１ｃ等の数値が計画どおりに変化している場合には、ダイエット計画が計画に沿って進行していることを対象者が把握でき、対象者のモチベーションの向上が見込まれる。
【０２５６】
〔３〕
血液検査キットを用いて血液検査を実施する。これにより、血液検査の度に対象者が医療機関へ出向かずに血液検査の実施が可能である。また、血液検査の際の採血量が少量であり、かつ血液検査を簡単に実施し得る。
【０２５７】
〔４〕
サーバ装置１２は、対象者端末装置２４の表示装置へダイエット計画の経過を表す経過報告画面２２０を表示させる。これにより、対象者は、経過報告画面２２０を見てダイエット計画の経過を把握し得る。サーバ装置１２Ａも同様である。
【０２５８】
〔５〕
経過報告画面２２０、及び経過報告画面２２０Ａはコース変更選択ボタン２３０が表示される。これにより、ダイエット計画の継続、又ダイエット計画の変更を選択し得る。
【０２５９】
〔６〕
血液検査項目値として、血糖、ＨｂＡ１ｃ、ＨＤＬコレステロール、ＬＤＬコレステロール、中性脂肪、ＡＳＴ、ＡＬＴ、γ−ＧＰＴ、ＡＬＢ、ＡＬＰ、及びｅ−ＧＦＲの少なくともいずれかの項目値を取得する。これにより、血液検査項目値の変化に応じてダイエットの効果を把握し得る。
【０２６０】
［第二実施形態］
〔第二実施形態に係るダイエット計画管理方法の手順〕
次に、第二実施形態に係るダイエット計画管理方法について説明する。第二実施形態に係るダイエット計画管理方法は、サーバ装置１２が対象者端末装置２４へ脱落懸念情報を送信する。
【０２６１】
図１９は第二実施形態に係るダイエット計画管理方法における第三身体情報取得工程の手順の流れを示すフローチャートである。第二実施形態に係るダイエット計画管理方法における第三身体情報取得工程では、図９に示した第三身体情報取得工程に対して、回数判定工程Ｓ３１２、及び脱落懸念警告送信工程Ｓ３１４が追加されている。
【０２６２】
規定期間経過判定工程Ｓ３０４においてＮｏ判定の場合に、回数判定工程Ｓ３１２へ進む。回数判定工程Ｓ３１２では、監視部３８は、催促情報が送信される第一身体情報測定の遅延が規定回数以上であるか否かが判定される。
【０２６３】
回数判定工程Ｓ３１２において、監視部３８が、催促情報が送信される第三身体情報測定の遅延が規定回数未満であると判定した場合はＮｏ判定となる。Ｎｏ判定の場合は、遅延警告情報送信工程Ｓ３０６へ進む。
【０２６４】
一方、回数判定工程Ｓ３１２において、監視部３８が、催促情報が送信される第三身体情報測定の遅延が規定回数以上であると判定した場合はＹｅｓ判定となる。Ｙｅｓ判定の場合は、脱落懸念警告送信工程Ｓ３１４へ進む。
【０２６５】
脱落懸念警告送信工程Ｓ３１４では、監視部３８は、脱落懸念警告を対象者端末装置２４へ送信する。脱落懸念警告は、ダイエット計画から脱落する懸念があることを表す警告情報である。脱落懸念警告送信工程Ｓ３１４の後に、監視部３８は第三身体情報取得工程を終了する。
【０２６６】
〔脱落懸念警告画面の構成例〕
図２０は脱落懸念警告画面の一例を示す説明図である。図２０に示した脱落懸念警告画面３００は、対象者名表示欄３０２、脱落懸念警告表示欄３０４、及び選択ボタン３０６が含まれる。
【０２６７】
脱落懸念警告画面３００は、対象者端末装置２４の表示装置を用いて表示される。脱落懸念警告画面３００を視認した対象者は、対象者端末装置２４の操作部材を操作して、脱落懸念警告画面３００からダイエット計画を変更するか否かを選択する。対象者端末装置２４は、ダイエット計画を変更するか否かを選択する選択情報をサーバ装置１２へ送信し得る。
【０２６８】
［第二実施形態の作用効果］
第二実施形態に係るダイエット計画管理方法によれば、以下の作用効果を得ることが可能である。
【０２６９】
〔１〕
第三身体情報の測定が規定回数以上遅延した場合に、サーバ装置１２は対象者端末装置２４へ脱落懸念警告を送信する。対象者端末装置２４の表示装置は、脱落懸念警告を表す脱落懸念警告画面３００が表示される。これにより、対象者は第三身体情報の測定が規定回数以上遅延していることを把握し得る。
【０２７０】
〔２〕
脱落懸念警告画面３００を用いて、ダイエット計画を変更するか否かを選択する選択情報を対象者端末装置２４からサーバ装置１２へ送信し得る。
【０２７１】
なお、第二実施形態では、第三身体情報測定の遅延に基づく脱落懸念警告の送信を例示したが、血液検査の遅延に基づく脱落懸念警告の送信も可能である。
【０２７２】
［第三実施形態］
〔課題の説明〕
遺伝子検査に基づくダイエットが知られている。遺伝子検査にダイエットは、ダイエット計画の作成の際に、遺伝子検査の検査結果に基づいて、自分の太り方を把握する。これにより、自分の太り方に応じたダイエット計画の作成が可能である。
【０２７３】
また、腸内フローラの分布の変化が、肥満、生活習慣病、及びがん等の成人病に影響することが知られている。腸内フローラの分布は、特に高齢になると変化することが知られている。腸内フローラの分布は、培養を用いて把握することが可能である。近年、腸内フローラの分布は、ポリメラーゼ連鎖反応を用いた遺伝子解析から把握することが可能ある。なお、ポリメラーゼ連鎖反応は、ＰＣＲ（polymerase chain reaction）と呼ばれる場合がある。
【０２７４】
しかしながら、いずれもダイエット計画の作成の際に有効な情報であるものの、ダイエット計画の経過把握等のダイエット計画の管理への適用は困難である。そこで、第三実施形態に係るダイエット計画管理方法では、オプション検査として、遺伝子検査、及び腸内フローラ検査の少なくともいずれかを血液検査と併用してダイエット計画を作成し、血液検査を用いてダイエット計画の経過を管理する。
【０２７５】
〔第三実施形態に係るダイエット計画管理方法の手順〕
図２１は第三実施形態に係るダイエット計画管理方法の手順の流れを示すフローチャートである。図２１に示したダイエット計画管理方法のフローチャートは、図６に示したダイエット計画管理方法のフローチャートに対してオプション検査申込情報取得工程Ｓ１１が追加されている。
【０２７６】
オプション検査申込情報取得工程Ｓ１１では、サーバ装置１２は対象者端末装置２４から送信されるオプション検査申込情報を取得する。オプション検査として、遺伝子検査、及び腸内フローラ検査の少なくともいずれかが適用される。
【０２７７】
サーバ装置１２は、オプション検査申込情報を取得した場合、ダイエット計画作成工程Ｓ１２の実行前に、オプション検査申込情報に応じたオプション検査の結果を取得する。サーバ装置１２は、オプション検査の結果を併用してダイエット計画を作成する。
【０２７８】
〔オプション検査申込画面の構成例〕
図２２はオプション検査申込画面の一例を示す説明図である。図２２に示したオプション検査申込画面４００は、対象者端末装置２４と接続される表示装置に表示される。オプション検査申込画面４００は、申込選択ボタン４０２、遺伝子検査選択ボタン４０４、及び腸内フローラ検査選択ボタン４０６が含まれる。
【０２７９】
対象者は、オプション検査申込画面４００を用いて、オプション検査を申し込むか否かを選択し得る。また、対象者は、オプション検査申込画面４００を用いて、遺伝子検査、及び腸内フローラ検査の少なくともいずれかを選択し得る。
【０２８０】
〔遺伝子検査〕
遺伝子検査の一例として、検体として血液を採取し、血液中の白血球を用いて遺伝子検査を行う例が挙げられる。遺伝子検査において肥満に関する遺伝子解析を行い、解析結果に基づいて肥満情報が作成される。
【０２８１】
遺伝子検査の他の例として、検体として唾液を採取し、唾液の成分を用いる遺伝子検査、及び検体として粘膜等の細胞を採取し、細胞の成分を用いる遺伝子検査等が挙げられる。
【０２８２】
〔腸内フローラ検査〕
腸内フローラ検査の一例として、検体として便を採取し、バクテロイデズ菌、ビフィズス菌、大腸菌、乳酸桿菌、及びウェルシュ菌の数、比率、及び分布を解析する腸内フローラ検査が挙げられる。
【０２８３】
［第三実施形態の作用効果］
第三実施形態に係るダイエット計画管理方法によれば、以下の作用効果を得ることが可能である。
【０２８４】
〔１〕
遺伝子検査の検査結果、及び腸内フローラ検査の検査結果の少なくともいずれかを併用して、ダイエット計画が作成される。これにより、遺伝子検査の検査結果、及び腸内フローラ検査の検査結果の少なくともいずれかから把握される対象者の情報を併用したダイエット計画を作成し得る。
【０２８５】
〔２〕
オプション検査はダイエット計画を作成する際に一回だけ実施すればよい。
【０２８６】
［ネットワークシステムへの適用例］
図２３はネットワークシステムが適用されるダイエット計画管理システムの構成例を示すブロック図である。図２３に示したダイエット計画管理システム１０Ｂは、サーバ装置１２がネットワーク５０と接続可能に構成される。また、ダイエット計画管理システム１０Ｂは、個人情報データベース２０、及びビッグデータベース２２が、ネットワーク５０を介してサーバ装置１２とデータ通信が可能に接続される。
【０２８７】
更に、ダイエット計画管理システム１０Ｂは、管理者端末装置１４、対象者端末装置２４、及び検査者端末装置２６が、ネットワーク５０を介してサーバ装置１２とデータ通信が可能に接続される。
【０２８８】
ネットワーク５０は、公衆回線網を適用してもよいし、専用回線網を適用してもよい。ネットワーク５０と各装置との接続は、光ファイバー等の高速通信ケーブルを適用可能である。
【０２８９】
なお、サーバ装置１２と管理者端末装置１４とは、ネットワーク５０を介さずに、直接接続されてもよい。また、サーバ装置１２と個人情報データベース２０とは、ネットワーク５０を介さずに、直接接続されてもよい。
【０２９０】
［検体検査キットの具体例］
血液検査キットの具体例としては、例えば、特許第３５９７８２７号明細書に記載の生体試料分離器具、又は特許第３６４３０１１号明細書に記載の検体分析用具等が挙げられる。血液検査キットには、更に、血液採取時に使用するランセット、絆創膏、及び消毒布等の処置具等、及び取扱説明書等を含めることが可能である。これらの生体試料分離器具、及び検体分析用具等を、採血を行う患者と検査施設との間を宅配、及び郵送等を用いて送ることにより、検査結果を取得することが可能となる。
【０２９１】
［血液検査キットを用いた採血の作用効果］
以上説明した血液検査キットを用いた採血によれば、以下の作用効果を得ることが可能である。
【０２９２】
〔１〕
自宅等の医療機関以外で採血を実施可能である。
【０２９３】
〔２〕
血液検査キットが規定の採血日に送付されるので、採血の忘れ、及び採血日の間違い等を抑制し得る。
【０２９４】
〔３〕
採血量が０．１ミリリットル以下と微小量である。
【０２９５】
［コンピュータをダイエット計画管理装置として機能させるプログラムへの適用例］
上述したダイエット計画管理方法は、コンピュータを用いて、ダイエット計画管理装置における各部に対応する機能、及びダイエット計画管理方法における各工程に対応する機能を実現させるプログラムとして構成可能である。
【０２９６】
例えば、コンピュータに、身体情報取得機能、血液検査項目値取得機能、ダイエット計画作成機能、及びダイエット計画監視機能を実現させるダイエット計画管理プログラムを構成し得る。
【０２９７】
上述したダイエット計画管理能をコンピュータに実現させるプログラムを、有体物である非一時的な情報記憶媒体である、コンピュータが読取可能な情報記憶媒体に記憶し、情報記憶媒体を通じてプログラムを提供することが可能である。
【０２９８】
また、非一時的な情報記憶媒体にプログラムを記憶して提供する態様に代えて、ネットワークを介してプログラム信号を提供する態様も可能である。
【０２９９】
［実施形態及び変形例等の組み合わせについて］
上述した実施形態で説明した構成要素、及び変形例で説明した構成要素は、適宜組み合わせて用いることができ、また、一部の構成要素を置き換えることもできる。
【０３００】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０３０１】
１０  ダイエット計画管理システム
１０Ａ  ダイエット計画管理システム
１０Ｂ  ダイエット計画管理システム
１２  サーバ装置
１２Ａ  サーバ装置
１４  管理者端末装置
２０  個人情報データベース
２０Ａ  個人情報データベース
２２  ビッグデータベース
２４  対象者端末装置
２６  検査者端末装置
３０  情報取得部
３０Ａ  身体情報取得部
３０Ｂ  血液検査項目値取得部
３２  情報出力部
３２Ａ  計画情報出力部
３２Ｂ  送付情報出力部
３２Ｃ  監視情報出力部
３４  計画部
３６  解析部
３８  監視部
４０  制御部
４２  メモリ
４４  ストレージ装置
４６  ネットワークコントローラ
４８  電源装置
５０  ネットワーク
５２  バス
１００  申請画面
１０２  氏名入力欄
１０４  性別入力欄
１０６  生年月日入力欄
１０８  年齢入力欄
１１０  身長入力欄
１１２  体重入力欄
１１４  ＢＭＩ値入力欄
１１６  体脂肪率入力欄
１２０  血液検査結果有無選択ボタン
１２２  第一希望コース選択ボタン
１２４  第二希望コース選択ボタン
１２６  第三希望コース選択ボタン
１２８  キット送付先選択ボタン
１３０  キット送付先入力欄
１５０  ダイエット計画提案画面
１５２  対象者情報表示欄
１５４  血液検査結果有無表示欄
１５６  希望コース表示欄
１５８  血液検査キット送付先表示欄
１６０  第一身体情報測定条件表示欄
１６２  血液検査条件表示欄
１６４  承認ボタン
１６６  変更ボタン
１８０  ダイエット受付画面
１８２  受付完了情報
１８４  オーケーボタン
２００  体重情報入力画面
２０２  対象者名表示欄
２０４  体重入力欄
２０６  オーケーボタン
２２０  経過報告画面
２２０Ａ  経過報告画面
２２２  対象者名表示欄
２２４  血液検査項目値表示欄
２２６  達成度表示欄
２２８  コメント表示欄
２３０  コース変更選択ボタン
３００  脱落懸念警告画面
３０２  対象者名表示欄
３０４  脱落懸念警告表示欄
３０６  選択ボタン
４００  オプション検査申込画面
４０２  申込選択ボタン
４０４  遺伝子検査選択ボタン
４０６  腸内フローラ検査選択ボタン
Ｓ１０からＳ５４８  ダイエット計画管理方法の各工程
【図１】
2019188799.tif 000003
【図２】
2019188799.tif 000004
【図３】
2019188799.tif 000005
【図４】
2019188799.tif 000006
【図５】
2019188799.tif 000007
【図６】
2019188799.tif 000008
【図７】
2019188799.tif 000009
【図８】
2019188799.tif 000010
【図９】
2019188799.tif 000011
【図１０】
2019188799.tif 000012
【図１１】
2019188799.tif 000013
【図１２】
2019188799.tif 000014
【図１３】
2019188799.tif 000015
【図１４】
2019188799.tif 000016
【図１５】
2019188799.tif 000017
【図１６】
2019188799.tif 000018
【図１７】
2019188799.tif 000019
【図１８】
2019188799.tif 000020
【図１９】
2019188799.tif 000021
【図２０】
2019188799.tif 000022
【図２１】
2019188799.tif 000023
【図２２】
2019188799.tif 000024
【図２３】
2019188799.tif 000025
【手続補正書】
【提出日】令和2年10月30日(2020.10.30)
【手続補正１】
【補正対象書類名】明細書
【補正対象項目名】００５４
【補正方法】変更
【補正の内容】
【００５４】
第１４態様は、第１態様から第１３態様のいずれか一態様のダイエット計画管理装置において、ダイエット計画作成部は、腸内フローラ検査の結果を併用して、ダイエット計画を作成する構成としてもよい。
【手続補正２】
【補正対象書類名】明細書
【補正対象項目名】００７９
【補正方法】変更
【補正の内容】
【００７９】
【図１】図１は第一実施形態に係るダイエット計画管理システムの構成例を示すブロック図である。
【図２】図２はサーバ装置のハードウェアの構成例を示すブロック図である。
【図３】図３はサーバ装置の機能ブロック図である。
【図４】図４は個人情報データベースの構成例を示す模式図である。
【図５】図５はビッグデータベースを用いた血液検査項目値取得の概念図である。
【図６】図６は第一実施形態に係るダイエット計画管理方法の手順の流れを示すフローチャートである。
【図７】図７は図６に示したダイエット計画作成工程の手順の流れを示すフローチャートである。
【図８】図８は図６に示したダイエット計画監視工程の手順の流れを示すフローチャートである。
【図９】図９は図８に示した第三身体情報取得工程の手順の流れを示すフローチャートである。
【図１０】図１０は図８に示した第三血液検査項目値取得工程の手順の流れを示すフローチャートである。
【図１１】図１１はダイエット計画管理システムの構成要素間の情報の流れ、及び血液検査キットの流れを示すフローチャートである。
【図１２】図１２はダイエット申請画面の一例を示す説明図である。
【図１３】図１３はダイエット計画提案画面の一例を示す説明図である。
【図１４】図１４はダイエット受付画面の一例を示す説明図である。
【図１５】図１５は体重情報入力画面の一例を示す説明図である。
【図１６】図１６は経過報告画面の一例を示す説明図である。
【図１７】図１７は経過報告画面の他の例を示す説明図である。
【図１８】図１８は第一実施形態の変形例に係るダイエット計画管理システムの構成例を示すブロック図である。
【図１９】図１９は第二実施形態に係るダイエット計画管理方法における第三身体情報取得工程の手順の流れを示すフローチャートである。
【図２０】図２０は脱落懸念警告画面の一例を示す説明図である。
【図２１】図２１は第三実施形態に係るダイエット計画管理方法の手順の流れを示すフローチャートである。
【図２２】図２２はオプション検査申込画面の一例を示す説明図である。
【図２３】図２３はネットワークシステムが適用されるダイエット計画管理システムの構成例を示すブロック図である。
【手続補正３】
【補正対象書類名】明細書
【補正対象項目名】０１０８
【補正方法】変更
【補正の内容】
【０１０８】
身体情報取得部３０Ａは、対象者の体重、ＢＭＩ値、及び体脂肪率の少なくともいずれかを含む身体情報を取得する。身体情報取得部３０Ａは、図２に図示しない規定の記憶部へ身体情報を記憶する。
【手続補正４】
【補正対象書類名】明細書
【補正対象項目名】０１２６
【補正方法】変更
【補正の内容】
【０１２６】
第三身体情報の入力回数及び第三身体情報の入力頻度は、一以上の第三身体情報の入力日として規定してもよい。血液検査の回数、及び血液検査の頻度は、二以上の血液検査日として規定してもよい。
【手続補正５】
【補正対象書類名】明細書
【補正対象項目名】０１３４
【補正方法】変更
【補正の内容】
【０１３４】
個人情報データベース２０は、対象者端末装置２４から送信された対象者ごとの第三身体情報を記憶する。図４には、一週間おきに体重、ＢＭＩ値、及び体脂肪率の測定値が入力される場合を図示する。対象者自身が測定可能であり、ダイエットの指標となり得る血圧等を第三身体情報に追加してもよい。
【手続補正６】
【補正対象書類名】明細書
【補正対象項目名】０１３９
【補正方法】変更
【補正の内容】
【０１３９】
家族情報の例として、親族の病気履歴、及び遺伝に関する情報が挙げられる。運動の例として、運動の種類、一週間あたりの運動の回数、一回あたりの運動期間、運動の頻度等が挙げられる。
【手続補正７】
【補正対象書類名】明細書
【補正対象項目名】０１５１
【補正方法】変更
【補正の内容】
【０１５１】
料金支払判定工程Ｓ１８では、監視部３８は、規定の期限日までに、料金の支払がされたか否かを判定する。料金支払判定工程Ｓ１８において、規定の期限日までに、監視部３８が料金の支払を確認できない場合はＮｏ判定となる。Ｎｏ判定の場合、サーバ装置１２はダイエット計画管理方法を終了する。
【手続補正８】
【補正対象書類名】明細書
【補正対象項目名】０２３１
【補正方法】変更
【補正の内容】
【０２３１】
対象者情報表示欄１５２は、対象者の氏名等の対象者情報が表示される。なお、対象者情報として図１３に図示したアルファベットは、対象者情報を表す文字、及び数値を表している。
【手続補正９】
【補正対象書類名】明細書
【補正対象項目名】０２４０
【補正方法】変更
【補正の内容】
【０２４０】
〈経過報告画面〉
図１６は経過報告画面の一例を示す説明図である。図１６に示した経過報告画面２２０は、対象者名表示欄２２２、血液検査項目値表示欄２２４、達成度表示欄２２６、コメント表示欄２２８、及びコース変更選択ボタン２３０が表示される。
【手続補正１０】
【補正対象書類名】明細書
【補正対象項目名】０２４６
【補正方法】変更
【補正の内容】
【０２４６】
図１７は経過報告画面の他の例を示す説明図である。図１７に示した経過報告画面２２０Ａは、図１６に示した経過報告画面２２０と比較して、達成度表示欄２２６に表示される達成度、及びコメント表示欄２２８に表示されるコメントの内容が相違している。すなわち、図１７に示した経過報告画面２２０Ａは、ダイエット計画が計画どおりに進行していない場合に、対象者端末装置２４の表示装置に表示される。
【手続補正１１】
【補正対象書類名】明細書
【補正対象項目名】０２９７
【補正方法】変更
【補正の内容】
【０２９７】
上述したダイエット計画管理機能をコンピュータに実現させるプログラムを、有体物である非一時的な情報記憶媒体である、コンピュータが読取可能な情報記憶媒体に記憶し、情報記憶媒体を通じてプログラムを提供することが可能である。
【手続補正１２】
【補正対象書類名】明細書
【補正対象項目名】０３００
【補正方法】変更
【補正の内容】
【０３００】
以上説明した本発明の実施形態は、本発明の趣旨を逸脱しない範囲で、適宜構成要素を変更、追加、削除することが可能である。本発明は以上説明した実施形態に限定されるものではなく、本発明の技術的思想内で当該分野の通常の知識を有する者により、多くの変形が可能である。
【手続補正１３】
【補正対象書類名】図面
【補正対象項目名】図１９
【補正方法】変更
【補正の内容】
【図１９】
2019188799.tif 000026
【国際調査報告】
2019188799.tif 000027
2019188799.tif 000028
2019188799.tif 000029
2019188799.tif 000030